(57)【特許請求の範囲】
【請求項１】
使い捨ての吸収性コアを覆うとともに着用可能吸収性物品の外面を形成するよう構成された再利用可能な外側カバーであって、
再利用可能な前記外側カバーは、腰バンドを含み、
前記外側カバーが、前記物品の着用者に前記吸収性コアを固定するよう構成された固定システムを備え、
前記外側カバーが、少なくとも５回の機械洗濯及び乾燥に対して耐洗濯性であり、
前記固定システムが、負荷分配要素および前記負荷分配要素に接続されたスパインを備え、
前記負荷分配要素は、前記固定システムの負荷を分配するためのものであり、
前記負荷分配要素は、前記吸収性コアの負荷を受容するよう、前記吸収性コアに接合されており、
前記スパインは、前記吸収性コアの支持を助けるためのものであり、
前記スパインは、吸収性コアの区域を貫通するか、または、吸収性コアの区域内に収容されている、再利用可能な外側カバー。
【請求項２】
前記物品が着用されるときに腰部開口部を形成する腰部縁部を備え、
前記固定システムが、前記腰部縁部から離間している、請求項１に記載の再利用可能な外側カバー。
【請求項３】
前記腰バンドが、腰部縁部に近接して配置されている、請求項２に記載の再利用可能な外側カバー。
【請求項４】
前記固定システムの少なくとも一部分が、再利用可能な前記外側カバーに接合されている、請求項３に記載の再利用可能な外側カバー。
【請求項５】
前記固定システムが周辺固定部材を含む、請求項４に記載の再利用可能な外側カバー。
【請求項６】
前記周辺固定部材が前記外側カバーの後部に配置される、請求項５に記載の再利用可能な外側カバー。
【請求項７】
第１の側耳部及び第２の側耳部を含み、前記周辺固定部材の一端が前記第１の側耳部と接合され、前記周辺固定部材の他端が前記第２の側耳部と接合される、請求項６に記載の再利用可能な外側カバー。
【請求項８】
前記周辺固定部材が、再利用可能な前記外側カバーに対して予め引き伸ばされていない、請求項７に記載の再利用可能な外側カバー。
【請求項９】
内側層および外側層を備え、
前記周辺固定部材が、前記内側層と前記外側層との間に配置されている、請求項７に記載の再利用可能な外側カバー。
【請求項１０】
前記周辺固定部材が、横方向に伸縮可能である、請求項９に記載の再利用可能な外側カバー。
【請求項１１】
再利用可能な前記外側カバーが、第１の横方向の弾性率を有し、
前記周辺固定部材が、前記第１の横方向の弾性率よりも高い第２の横方向の弾性率を有する、請求項１０に記載の再利用可能な外側カバー。
【請求項１２】
使い捨ての吸収性コアを覆うとともに着用可能吸収性物品の外面を形成するよう構成された再利用可能な外側カバーであって、
再利用可能な前記外側カバーは、腰バンドを含み、
前記外側カバーが、前記物品の着用者に前記吸収性コアを固定するよう構成された固定システムを備え、
前記外側カバーが、少なくとも５回の機械洗濯及び乾燥に対して耐洗濯性であり、
前記固定システムが、固定バンドと、前記固定バンドに接合されたスパインと、を含み、
前記スパインが、再利用可能な前記外側カバーの横方向中心線の一部分の周りで延びている、再利用可能な外側カバー。
【請求項１３】
前記固定バンドは、第１の固定バンドであり、
再利用可能な前記外側カバーは、第２の固定バンド、前部および後部を含む、請求項１２に記載の再利用可能な外側カバー。
【請求項１４】
前記第１の固定バンドは、前記前部から前記後部へ延び、
前記第２の固定バンドは、前記前部から前記後部へ延びている、請求項１３に記載の再利用可能な外側カバー。
【請求項１５】
前記第１の固定バンドは、前記後部において第１の側耳部へ延びており、
前記第２の固定バンドは、前記後部において第２の側耳部へ延びており、
前記第１の固定バンドおよび前記第２の固定バンドは各々、湾曲した部分を有している、請求項１４に記載の再利用可能な外側カバー。
【請求項１６】
前記第１の固定バンドは、前記後部において第１の締結具へ延びており、
前記第２の固定バンドは、前記後部において第２の締結具へ延びている、請求項１５に記載の再利用可能な外側カバー。
【請求項１７】
前記着用可能吸収性物品が、テープスタイルのおむつである、請求項１６に記載の再利用可能な外側カバー。
【請求項１８】
使い捨ての吸収性コアを覆うとともに着用可能吸収性物品の外面を形成するよう構成された再利用可能な外側カバーであって、
再利用可能な前記外側カバーは、腰バンドを含み、
前記外側カバーが、前部と、後部と、前記物品の着用者に前記吸収性コアを固定するよう構成された固定システムと、を備え、
前記外側カバーが、少なくとも５回の機械洗濯及び乾燥に対して耐洗濯性であり、
前記固定システムが、第１の前部固定バンドと、第２の前部固定バンドと、第１の後部固定バンドと、第２の後部固定バンドと、再利用可能な前記外側カバーの長手方向中心線の一部分の周りで延びるスパインと、を備え、
前記スパインは、前記第１の前部固定バンドおよび前記第２の前部固定バンドに前記前部において接触し、
前記スパインは、前記第１の後部固定バンドおよび前記第２の後部固定バンドに前記後部において接触する、再利用可能な外側カバー。
【請求項１９】
前記スパインは、前記前部から前記後部へ延びるとともに、再利用可能な前記外側カバーの横方向中心線を横断し、
前記第１の前部固定バンドおよび前記第２の前部固定バンドは各々、湾曲した部分を有している、請求項１８に記載の再利用可能な外側カバー。
【請求項２０】
前記第１の後部固定バンドおよび前記第２の後部固定バンドは各々、湾曲した部分を有し、
再利用可能な前記外側カバーは、第１の締結具を前記後部に備え、かつ、第２の締結具を前記後部に備え、
前記第１の後部固定バンドは、前記第１の締結具へ延びており、
前記第２の後部固定バンドは、前記第２の締結具へ延びている、請求項１９に記載の再利用可能な外側カバー。
【発明の詳細な説明】
【技術分野】
【０００１】
広くは、本開示の実施形態は着用可能吸収性物品に関する。特に、本開示の実施形態は、固定システムを有する再利用可能な着用可能吸収性物品に関する。
【背景技術】
【０００２】
着用可能吸収性物品は、再利用可能なおむつ及び再利用可能な失禁用下着を含む。着用可能吸収性物品は、着用者により着用されている間に体外排泄物を受け取り収容することができる。そのような物品は、数多くの構成で種々の材料により作製できる。着用可能吸収性物品の設計は、物品が着用者にフィットする仕方に影響を及ぼす可能性がある。
【発明の概要】
【発明が解決しようとする課題】
【０００３】
残念ながら、一部の着用可能吸収性物品は、着用者に完全にはフィットしない。例えば、一部の着用可能吸収性物品は、着用者が着用したときに、たるむ又は滑り落ちる可能性がある。着用者が着用中のたるみ又は滑り落ちる、着用可能吸収性物品は、不快に感じ、魅力なく見え、漏れる傾向があるため不十分に機能する可能性がある。
【図面の簡単な説明】
【０００４】
【図１Ａ】第１の固定システムを含む前締結式着用可能吸収性物品の内面の平面図。
【図１Ｂ】第１の固定システムを含むパンツ型着用可能吸収性物品の内面の平面図。
【図１Ｃ】後側固定バンドを含む前締結式着用可能吸収性物品の内面の平面図。
【図１Ｄ】後側固定バンドを含むパンツ型着用可能吸収性物品の内面の平面図。
【図２Ａ】固定システムを含む前締結式着用可能吸収性物品の内面の平面図。
【図２Ｂ】固定システムを含むパンツ型着用可能吸収性物品の内面の平面図。
【図３Ａ】固定システムを含む前締結式着用可能吸収性物品の内面の平面図。
【図３Ｂ】固定システムを含むパンツ型着用可能吸収性物品の内面の平面図。
【図４Ａ】固定システムを含む前締結式着用可能吸収性物品の内面の平面図。
【図４Ｂ】固定システムを含むパンツ型着用可能吸収性物品の内面の平面図。
【図５Ａ】固定システムを含む前締結式着用可能吸収性物品の内面の平面図。
【図５Ｂ】固定システムを含むパンツ型着用可能吸収性物品の内面の平面図。
【発明を実施するための形態】
【０００５】
本開示の実施形態は、着用者に適切にフィットする固定システムを有する着用可能吸収性物品を含む。着用可能吸収性物品は、再利用可能な着用可能吸収性物品として、あるいは使い捨ての着用可能吸収性物品として、構成され得る。これらの物品の設計は、着用者が着用したとき物品がたるむ又は滑り落ちるのを防止するのを助ける。その結果、本開示の着用可能吸収性物品は、着用者の適所に留まり、漏れない傾向にあるため、快適な感じがし、魅力的に見え、良好に機能することができる。
【０００６】
吸収性物品としては、生理用品及び衛生用途などのための製品が挙げられる。一部の吸収性物品は着用可能である。着用可能吸収性物品は、着用者の身体の胴体下部又はその周囲に着用されるよう構成される。着用可能吸収性物品の例としては、おむつ、トレーニングパンツ、及び失禁用下着が挙げられる。
【０００７】
着用可能吸収性物品は吸収性コアを含むことができる。本開示全体を通して、用語「吸収性コア」は、着用者の体から物品に受容される排泄物を吸収するよう構成された着用可能吸収性物品の一部を指す。吸収性コアは、当業者により理解されるであろう種々の方法で構成され得る。吸収性コアは、排泄物を受容、収容、貯蔵、及び／又は処置するための当該技術分野で既知の、木材パルプ及び／又は超吸収性粒子のような１つ以上の吸収性材料を含むことができ、当該技術分野で既知の１つ以上の追加的組成物、材料、又は構造物を含むことができる。更に、吸収性コアは、アセンブリの外側表面上及び／又はアセンブリ内部に、ローション、香料、及び知覚性材料のような１つ以上の組成物を含むことができる。吸収性コアは、バケツ型吸収性コア、取り外し可能吸収性コア、交換可能吸収性コア等として構成され得る。吸収性コアは、液体透過性トップシート、獲得層、分配層、貯蔵層、及び液体不透過性バックシートのような１つ以上の層を備える、吸収性コアアセンブリの一部であってもよい。吸収性コアアセンブリは、バリア脚カフ、糞便収容コンパートメント、湿り度インジケータ、物品内にコアを保持するための締結具、廃棄用テープ等のような様々な構造物の１つ以上をも含むことができる。
【０００８】
様々な実施形態で、吸収性コアは、米国特許出願第１２／１４１，１２２号、同第１２／１４１，１２４号、同第１２／１４１，１２６号、同第１２／１４１，１２８号、同第１２／１４１，１３０号、同第１２／１４１，１３２号、同第１２／１４１，１３４号、同第１２／１４１，１４１号、同第１２／１４１，１４３号、及び同第１２／１４１，１４６号に記述されているよう構成され得、これらの特許出願のそれぞれは参照により本明細書に組み込まれる。これらの特許出願は、超吸収性粒子との組み合わせによるエアフェルト又は他のセルロース繊維の形態の必要性及び包含を最少限にする又は取り除く吸収性コア構成体を概して記述している。
【０００９】
着用可能吸収性物品は、外側カバーもまた含むことができる。本開示全体を通して、外側カバーという用語は、着用可能吸収性物品の外側表面を形成する、該物品の一部（バックシートとも称される）を指し、吸収性コアの縁を越えて延在し、通常は着用者の臀部の有意な部分を覆う、概して下着の外観に似た形である。本明細書に記述するように、外側カバーは様々な方法で構成され得る。様々な実施形態で、外側カバーは着用可能吸収性物品のシャーシと一致すること、及び／又はそれを画定することができる。
【００１０】
一部の吸収性物品は使い捨てである。使い捨て吸収性物品は、一回使用した後に廃棄されるよう構成される（例えば、再利用、再保管、又は洗濯されるよう意図されない）。使い捨て吸収性物品の例としては、使い捨ておむつ、使い捨てトレーニングパンツ、使い捨て失禁用下着、並びに女性用ケアのパッド及びライナーが挙げられる。
【００１１】
一部の吸収性物品は再利用可能である。本明細書で使われるとき、用語「再利用可能」は、吸収性物品の、参照された材料、構成要素、又は全体が再生されるよう及び／又は１回の使用周期（例えばおむつ交換）を超えて再利用されるよう、構成されることを意味する。一部の再利用可能な吸収性物品では、物品の一部若しくはいくつかの部分又は実質的に全て若しくは全てが、本明細書に定義及び記述するように洗濯可能であること又は耐洗濯性を有することができる。一例として、着用可能吸収性物品は、洗濯可能又は耐洗濯性である外側カバーを含むことができる。他の再利用可能な吸収性物品では、物品の一部若しくはいくつかの部分又は実質的に全て若しくは全てが、洗濯可能でない場合又は耐洗濯性を有さない場合がある。例えば、おむつのような使い捨て物品に使用される不織布のような材料を使用することによって、吸収性物品を再利用可能な吸収性物品として構成することができる。
【００１２】
様々な実施形態で、再利用可能な外側カバーは、物品の着用者及び／又は着用者の介護者に様々な便益をもたらす様々な機能を実行するよう構成され得る。様々な実施形態で、再利用可能な外側カバーは、吸収性物品による排泄物の収容を助けることができる液体不透過性を提供するよう構成され得る。様々な実施形態で、再利用可能な外側カバーは、着用者の健康的な皮膚の維持を助けることができる蒸気透過性（例えば通気性）を提供するよう構成され得る。様々な実施形態で、再利用可能な外側カバーは、１つ以上の特定の方向において、弾性的に伸張可能であり、非弾性的に伸張可能であり、及び／又は伸張不可能であるよう、構成され得る。様々な実施形態で、再利用可能な外側カバーの少なくとも一部、例えば内側層の一部は、吸収性コアからの軽度の漏れイベントを制御するために吸収性であってもよい。
【００１３】
具体的には、再利用可能な外側カバーの一部若しくはいくつかの部分又は実質的に全て若しくは全てが、物品が着用者に適用されている間、物品が着用者によって着用されている間、及び物品が排泄物を収容している間に、特定の程度まで伸張及び弛緩するよう構成され得る。再利用可能な外側カバーは、適用の促進を助けるために、物品が着用者に適用されている間に容易に伸張するよう構成され得る。再利用可能な外側カバーはまた、ぴったりと一致したフィットを提供しながら着用者の動きを許容するのを助けるために、物品が着用されている間に十分に伸張するよう構成され得る。再利用可能な外側カバーは、更に、物品が着用されている間に持続的なフィットを提供するために、かつ吸収性コアの支持を助けるために、十分な張力とともに適正に弛緩する（すなわち収縮する）よう構成され得る。本明細書に開示される任意の再利用可能な外側カバーは、本明細書に開示される着用可能吸収性物品の任意の実施形態で、使用され得ることが企図される。
【００１４】
本明細書で使用するとき、用語「洗濯可能」は、吸収性物品の、参照された材料、構成要素、又は全体が、意図される機能又は用途のためにその物品が不適となるほどの外観又は性能上の有意な劣化を伴わずに、多くの周期数（例えば、少なくとも１０回、いくつかの実施形態では最高５０回、他の実施形態では５０回を越す）の機械洗濯及び機械乾燥に耐える（本明細書に記載のようにＡＡＴＣＣ  １２４−２００１の試験方法の定義による）よう構成されていることを意味する。本明細書で使用するとき、用語「洗い」又は「洗い周期」は、上述のような機械洗濯及び機械乾燥の周期を指す。通常、機械洗濯及び機械乾燥に比べて手洗い及び自然乾燥は吸収性物品に与えるストレスがはるかに少ないので、機械洗濯可能かつ機械乾燥可能な材料、構成要素、又は物品は、少なくとも同じ周期数にかけて手洗い可能かつ手動乾燥可能でなくてはならないと期待される。一例として、再利用可能な着用可能吸収性物品は、洗濯可能外側カバーを含むことができる。洗濯可能な物品は、様々な衣類と同じように、何度も洗濯した後も使用に適するように設計される。
【００１５】
本明細書で使用する場合、用語「耐洗濯性」は、吸収性物品の、参照された材料、又は構成要素、又は全体が、意図される機能及び／又は用途のためにその物品が不適となるほどの外観又は性能上の有意な劣化を伴わずに、少ない周期数（例えば、少なくとも１回、いくつかの実施形態５回まで、他の実施形態では５回を越す）の機械洗濯及び機械乾燥に耐える（ＡＡＴＣＣ  １２４−２００１の試験方法の定義及び本明細書の記述による）よう構成されていることを意味する。一例として、再利用可能な着用可能吸収性物品は、耐洗濯性のある外側カバーを含むことができる。耐洗濯性物品は、概して、洗濯可能な物品より少ない洗濯周期の後に劣化を経験する。例えば、耐洗濯性材料は、５回又は１０回の洗い周期の後に外観又は性能の有意な劣化を経験する場合がある。
【００１６】
代表的な洗濯可能な外側カバー
以下は、前締結式着用可能吸収性物品に使用するための代表的な洗濯可能な外側カバーの説明である。代表的な洗濯可能な外側カバーは、外側層、内側層、左脚バンド及び右脚バンド、前部腰バンド及び後部腰バンド、固定バンド、ランディングゾーン、側耳部締結具、側耳部芯、及び吸収性コア締結要素を含む。
【００１７】
本開示全体を通して、用語「表側」とは完成品の外面になる材料の側を指し、用語「裏側」とは完成品の内面（あるいは、多重層を有する実施形態では完成品の層と層との間）になる材料の側を指す。完成時、外側層の表側は衣類に面する側であり、内側層の表側は着用者に面する側である。
【００１８】
代表的な洗濯可能外側カバーのそれぞれの要素は、１つ以上の特定の材料で形成される。外側層材料はモーダル又はリクラで作製された柔らかい伸縮可能なニットである。例えば、外層材料は９５％モーダル及び５％リクラであることができる。内側層材料は２つの材料で作製される。物品の裏に配置されるよう構成される内側層材料は、快適なフィットをもたらすように横方向に伸縮可能であるよう構成される。裏内側層材料はスパンデックスを有するポリエステルで作製された柔らかい伸縮可能なニット布地である。例えば、内側層材料は９４％ポリエステル及び６％スパンデックスであることができる。物品の股部及び前部に配置される内側層材料は、尿の浸入に抵抗するために疎水性に構成される。例えば、内側層材料は９０％ナイロントリコット及び１０％スパンデックスであることができる。
【００１９】
脚バンド及び腰バンドは、弾性の内側材料と、柔らかい伸張可能な布地の外側材料とで形成される。例えば、内側弾性バンド材料は、約１０ｍｍ幅の天然伸縮素材であることができる。内側弾性バンド材料は、裏内側層材料と類似である。外側布地バンド材料は、外層材料と類似である。
【００２０】
固定バンド材料は、スパンデックスを有するポリエステルで作製された伸縮可能なニット布地片である。例えば、伸縮可能なニット布地は、９０％ポリエステル及び１０％スパンデックスで、２５ｍｍ幅であることができる。固定バンド材料は、外側層材料より高い弾性率及びより低い弾性ヒステリシスを有するよう構成される。ランディングゾーン及び側耳部締結具は、それぞれに対応する縫合可能なループ及びフックのパッチを有する機械的なフック・アンド・ループ締結システムを備える。耳芯材料は、織物可融芯地であり、折れ曲がり又は座屈に耳が抵抗するのを助ける。吸収性コア締結要素もまた、吸収性コア上のフックと締結するよう構成されたループのパッチである。
【００２１】
代表的な洗濯可能外側カバーを作製するには、まず、それぞれの材料を所望の形に切断する。外側層材料及び内側層材料は、外側カバーの楕円形である同じ形に切断される。
【００２２】
脚バンドに関しては、２片の内側弾性バンド材料を、それぞれ、外側カバーの左長手方向側又は右長手方向側の収縮可能な脚カフ部分のための長さに切断する。例えば、内側弾性可能な脚バンドの長さは約２２０ｍｍであることができる。また、２片の外側布地バンド材料を、それぞれ、内側弾性脚バンド材料の一片を包み込むために外側布地脚バンド材料の各片を縦に半分に折ることができるような特定の長さ及び幅に切断する。
【００２３】
同様に、腰バンドに関しては、２片の内側弾性バンド材料を、それぞれ、外側カバーの前端又は後端の収縮可能な腰縁部分のための長さに切断する。例えば、内側弾性腰バンドの長さは約２４５ｍｍであることができる。更に、２片の外側布地バンド材料を、それぞれ、内側弾性腰バンド材料の一片を包み込むために外側布地腰バンド材料の各片を縦に半分に折ることができるような特定の長さ及び幅に切断する。
【００２４】
１つの固定バンドを、１つの後側耳部から他方の後側耳部にかけて適応する長さに切断する。２つの側耳部締結具を、外側カバーの後の側耳部にフィットするように切断する。１つのランディングゾーンを、側耳部締結具を許容して、外側カバーの前にフィットするように切断する。８つの側耳部芯を、外側カバーのめ前部及び後部のそれぞれの側の側耳部の内面にフィットするように切断する。２つの吸収性コア締結要素を、吸収性コア上のフックを許容するように切断する。
【００２５】
第２に、切断した材料をともに組み立てる。ランディングゾーンは、外側カバーの前部の表側に縫い付ける。４つの側耳部芯は、外側層の裏側に、前部及び後部の左側耳部及び右側耳部にそれぞれ１つずつ融着する。
【００２６】
脚バンドは、内側層の裏側及び外側層の裏側に、外側カバーの左長手側及び右長手側上の収縮可能な脚カフ部に縫い付ける。この縫合工程中、それぞれの脚バンドの中央部は予め引き伸ばされ、一方、内側層及び外側層は実質的に弛緩している。それぞれの脚バンドに対し、内側弾性脚バンド材料の両端を固定するが、中央部分は外側布地脚バンド材料の内面で自由に動く。
【００２７】
同様に、腰バンドは、内側層の裏側及び外側層の裏側に、外側カバーの前端及び後端上の収縮可能な腰縁部において縫い付けられる。この縫合工程中、それぞれの脚バンドの中央部は予め引き伸ばされ、一方、内側層及び外側層は実質的に弛緩している。それぞれの腰バンドに対し、内側弾性腰バンド材料の両端を固定するが、中央部分は外側布地腰バンド材料の内面で自由に動く。
【００２８】
固定バンドは、後側耳部及び前側耳部において、内側層の裏側に縫い付ける。この縫合工程中、固定バンド及び内側層の双方は実質的に弛緩しており、すなわち、それらがともに平らに寝かされたとき、いずれの要素も他方に対して予め引き伸ばされていない。固定バンドの中央部分は内側層に縫い付けられない。側耳部締結部は内側層の表側に、左後側耳部及び右後側耳部において縫い付ける。吸収性コア締結要素は、内側層の前部及び後部の表側に縫い付けられる。４つの側耳部芯は、内側層の裏側に、前部及び後部の左側耳部及び右側耳部にそれぞれ１つずつ融着する。次に、内側層と外側層とをともに縫合し、表側が外になるように反転する。代表的な洗濯可能な外側カバーの完成である。完成した外側カバーでは、固定バンドの中央部は内側層及び外側層に対して自由に動く。また、完成した外側カバーでは、固定バンドは内側層及び外側層に対して予め引き伸ばされていない。
【００２９】
この代表的な洗濯可能外側カバーは、非限定的な例として意図されたものであり、下記のように多くのやり方で変化され得る。外側カバーのどの要素も、１つ以上の二次構成要素を備えることができる、すなわち、１つの要素を１つ以上の片又はタイプの材料で形成することができる。外側カバーのいずれか又は両方の層は、材料の単層を備えてもよく、２つ以上の層及び／又は２つ以上の材料を備えてもよい。内側層は、横方向及び縦方向の双方に伸縮可能であってもよい。内側層を処理して、疎水性を高めてもよい。内側層はその面積にわたり様々な伸縮可能性、疎水性、及び／又は通気可能性を有してもよい。
【００３０】
外側カバーはその面積にわたり様々な伸縮可能性、疎水性、及び／又は通気可能性を有してもよい。外側カバーは固定バンドを有さなくてもよく、任意の数の固定バンド又は他の固定システム構成要素を有してもよい。一例として、洗濯可能な外側カバーは、代理人整理番号１１２２５Ｍの下で２０１０年１月１４日付で出願された「Ｒｅｕｓａｂｌｅ  Ｗｅａｒａｂｌｅ  Ａｂｓｏｒｂｅｎｔ  Ａｒｔｉｃｌｅｓ  ｗｉｔｈ  Ａｎｃｈｏｒｉｎｇ  Ｓｙｓｔｅｍｓ」と題する米国非暫定特許出願に記述されているような固定システムの１つ以上の要素を含むよう構成することができ、この特許出願は参照により本明細書に組み込まれる。追加的な例として、洗濯可能な外側カバーは、代理人整理番号１１５６５の下で２０１０年１月１４日付で出願された「Ｒｅｕｓａｂｌｅ  Ｗｅａｒａｂｌｅ  Ａｂｓｏｒｂｅｎｔ  Ａｒｔｉｃｌｅｓ  ｗｉｔｈ  Ａｎｃｈｏｒｉｎｇ  Ｓｕｂｓｙｓｔｅｍｓ」と題する米国非暫定特許出願に記述されているような固定システムの１つ以上の要素を含むよう構成することができ、この特許出願は参照により本明細書に組み込まれる。
【００３１】
外側カバーは、洗い工程中に締結要素を保護するために構造物を備えることができる（例えば、フックを覆う、又は締結具が一時的に貼付され得るフックの隣接区域を覆う、保護フラップ）。吸収性コアは、ポケット、カフ、ストラップ、ループ、フック・アンド・ループ式締結具、又は任意のタイプの締結具のような、外側カバー及び／又は吸収性コアに追加することが可能な任意の種類の機構によって外側カバーに接続することができる。外側カバーは、マクロファスナー、又は当該技術分野で既知の任意の他の締結システムを備えることができる。脚バンド及び腰バンドの構成体としては、単一材料、ラミネートなどが可能である。脚バンド及び腰バンドは、内側層だけに貼付してもよく、外側層だけに貼付してもよい。
【００３２】
当業者には理解されるように、様々な代替実施形態において、この代表的な洗濯可能な外側カバーを数々の他の方法で、追加及び／又は代替の材料、構造物、構成、及び組立方法とともに変化させることができる。
【００３３】
洗濯可能な外側カバー材料は、おむつ、パンツ、下着、パフォーマンス衣料、スポーツ衣料、又は一般衣料若しくはテキスタイル技術分野で既知の任意の天然材料又は合成材料を含むことができる。これらの材料としては、木綿、ウール、竹、麻、絹、レーヨンなどのような天然材料、及びこれらの材料と合成繊維との配合物が挙げられる。洗濯可能な外側カバーでの使用に好適な代表的な合成材料としては、ポリエステル、ナイロン、リクラ、スパンデックス、又は他のエラストマー、通気性防水材料（例えば、ＧＯＲＥ−ＴＥＸ（登録商標）（メリーランド州Ｅｌｋｔｏｎ所在のＷ．Ｌ．Ｇｏｒｅ  ＆  Ａｓｓｏｃｉａｔｅｓ，Ｉｎｃ．））、及びＯｕｔｌａｓｔ  ＣｏｍｆｏｒＴｅｍｐ布地（Ｏｕｔｌａｓｔ  Ｔｅｃｈｎｏｌｏｇｉｅｓ（コロラド州Ｂｏｕｌｄｅｒ所在）例えば、米国特許第６，５１４，３６２号及び同第６，２０７，７３８号を参照）のようなマイクロカプセル化された相変化高分子材料を含む布地、及びＣＯＯＬＭＡＸ（登録商標）（ＩＮＶＩＳＴＡ（カンザス州Ｗｉｃｈｉｔａ所在））などが挙げられる。これらの材料は、好ましくは、布地又は織物ウェブ又は不織ウェブのような繊維ベースの材料を少なくとも１つ含む。しかし、外側カバーは、強化された液体浸入抵抗力及び／又は弾性特性を外側カバーに提供するためにフィルム層を追加的に備えてもよい。弾性特性は、弾性ストランド、バンド、スクリムなどを含む他の材料を外側カバーに追加することによって付加又は強化することができる。洗濯可能な材料は、バーズアイ布地、テリー、フリース、フランネル、ニット、ストレッチニット、シェルパ、スエード布、マイクロフリース、サテン、ベロア、Ｂｕｒｌｅｙニット、及びＰｏｌａｒｔｅｃ（登録商標）Ｗｉｎｄｐｒｏ（登録商標）（Ｐｏｌａｒｔｅｃ，ＬＬＣ（マサチューセッツ州Ｌａｕｒｅｎｃｅ所在））を含む任意の既知の織形態又は布地形態として形成することができる。ニットテキスタイルは、本来、織物材料又は不織材料より伸縮可能であり及び弾性的に優れていて、より良いフィット、快適さ、及び／又は外観を外側カバーに与えることが可能である。スパンデックス又は他のエラストマーの繊維を組み込むこともまた、伸縮性及び弾性を強化することができ、それによって、そのような弾性繊維を含まないテキスタイルと比べてより良いフィット、快適さ、及び／又は外観を外側カバーに与えることが可能である。
【００３４】
洗濯可能な外側カバー材料に好適な具体例としては、レーヨン繊維（９３％）とスパンデックス（７％）繊維、モーダル繊維（９４％）とスパンデックス（６％）繊維、木綿繊維とスパンデックス繊維、及び竹繊維とスパンデックス繊維といった配合のジャージーニットが挙げられる。約３０％、又は５０％、又は１００％、又は１５０％以上の、又は２００％以上もの伸縮能力を有する材料が望ましい場合がある。好適な材料の例は、一層当たり約０．０９〜０．１５グラム／インチ２の坪量又は他の坪量を有することができる。
【００３５】
洗濯可能な外側カバー材料は、着用可能吸収性物品に所望の快適さ、外観、及び性能を付与するために選択することができる。場合によっては、激しく汚れた場合又は損傷した場合に費用又は意識の問題を最小限にしてそれらを廃棄することを可能にするほど十分に安価な洗濯可能外側カバー材料を選択することが望ましい場合がある。
【００３６】
本明細書に開示される任意の洗濯可能な外側カバーは、本明細書に開示される着用可能吸収性物品の任意の実施形態とともに使用できるものと企図される。代表的な洗濯可能な外側カバーはまた、パンツ型着用可能吸収性物品での使用にも適応することができる。
【００３７】
代表的な耐洗濯性外側カバー
以下は、前締結式着用可能吸収性物品に使用するための代表的な耐洗濯性外側カバーの説明である。代表的な耐洗濯性外側カバーは、２つの伸張可能な不織材料と、それらの不織布間に挟まれた弾性的に伸縮可能なフィルムとを備える３層ラミネートを含む。第１の伸張可能な不織布は外側カバーの衣類に面する側を形成し、第２の伸張可能な不織布は外側カバーの着用者に面する側を形成する。第１の伸張可能な不織布は、２７ｇｓｍのＨＥＣ不織布（Ｆｉｂｅｒｗｅｂ／ＢＢＡから入手可能なＥｘｃｅｌｌ  Ｓｔｙｌｅ  ３８２Ｄ型など）である。弾性的に伸縮可能なフィルムは、２７ｇｓｍのＶｉｓｔａｍａｘｘフィルム（樹脂はＥｘｘｏｎ−Ｍｏｂｉｌより入手可能）を備え、約５ｇｓｍのポリエチレンスキン層を有する。第２の伸張可能な不織布は、Ｆｉｂｅｒｗｅｂ  Ｆｒａｎｃｅより入手可能なＳｏｆｓｐａｎ  ２００のような２２ｇｓｍの不織布である。
【００３８】
フィルムと第２の不織布とを押出し結合して２層ラミネートを形成する。２層ラミネートは、Ｃｌｏｐａｙ  Ｃｏｒｐの材料Ｍ１８−２０３８Ｃとして入手可能である。第１の不織布を、０．０００６ｇ／インチ２の２０３１スパイラル接着剤（Ｂｏｓｔｉｋから入手可能）を用いて２層ラミネートのフィルム側に結合して、３層ラミネートを形成する。外側カバーはまた、３層ラミネート内に配置される固定バンドも含む。固定バンドは幅約２５ｍｍのエラストマーフィルムストリップであり、外側カバーの後部の腰部に配置され、外側カバーの横方向中心線に平行に配向され、外側カバーの片側の締結具から外側カバーの反対側の締結具まで延在する。次いで、リングローリングプロセスを用いて、３層ラミネート外側カバーを機械的に活性化する（すなわち、横方向に漸増式に引き伸ばす）。リングローリングプロセスのリングロール歯のピッチは０．２５ｃｍ（０．１００”）、係合の深さは０．４０ｃｍ（０．１５８”）である。
【００３９】
一例として、耐洗濯性カバーは、代理人整理番号１１２２５Ｍの下で２０１０年１月１４日付で出願された「Ｒｅｕｓａｂｌｅ  Ｗｅａｒａｂｌｅ  Ａｂｓｏｒｂｅｎｔ  Ａｒｔｉｃｌｅｓ  ｗｉｔｈ  Ａｎｃｈｏｒｉｎｇ  Ｓｙｓｔｅｍｓ」と題する米国非暫定特許出願に記述されているような固定システムの１つ以上の要素を含むよう構成することができ、この特許出願は参照により本明細書に組み込まれる。追加的な例として、耐洗濯性カバーは、代理人整理番号１１５６５の下で２０１０年１月１４日付で出願された「Ｒｅｕｓａｂｌｅ  Ｗｅａｒａｂｌｅ  Ａｂｓｏｒｂｅｎｔ  Ａｒｔｉｃｌｅｓ  ｗｉｔｈ  Ａｎｃｈｏｒｉｎｇ  Ｓｕｂｓｙｓｔｅｍｓ」と題する米国非暫定特許出願に記述されているような固定システムの１つ以上の要素を含むよう構成することができ、この特許出願は参照により本明細書に組み込まれる。
【００４０】
この代表的な耐洗濯性外側カバーは、非限定的な例として意図される。当業者には理解されるように、代替実施形態において、この代表的な耐洗濯性外側カバーを数々の方法で、追加及び／又は代替の材料、構造物、構成、及び組立方法とともに変化させることができる。
【００４１】
耐洗濯性を有する外側カバーは、激しく汚れた場合又は損傷した場合でもなお費用又は意識問題なくそれらを廃棄することを可能にするために十分に安価であることが可能である。耐洗濯性外側カバー材料は、洗濯可能な外側カバー又は使い捨て外側カバーでの使用に企図された１つ以上の材料を含む本明細書に記述されているいかなる材料をも含むことができる。洗濯可能な外側カバーに使用する材料を選択する場合は、典型的には、より安価でより質の低い（例えば、より低い坪量、最適さの劣る繊維質）バージョンを採用して、耐洗濯性である外側カバーを形成することができる。使い捨て物品（例えば、使い捨ておむつ）に使用する材料を選択する場合、より高い坪量及び／又は質の材料が適切である場合がある。耐洗濯性外側カバーには、そのような材料の配合物又はラミネートもまた企図される。
【００４２】
例えば、使い捨ての着用可能吸収性物品の設計を変更して、物品を耐洗濯性にすることができる。例えば、参照により本明細書に組み込まれる２００８年１２月１８日付で出願された「Ｄｉｓｐｏｓａｂｌｅ  Ａｂｓｏｒｂｅｎｔ  Ａｒｔｉｃｌｅ  ｗｉｔｈ  Ｓｕｂｓｔａｎｔｉａｌｌｙ  Ｃｏｎｔｉｎｕｏｕｓ  Ｄｉｓｔｒｉｂｕｔｅｄ  Ａｂｓｏｒｂｅｎｔ  Ｐａｒｔｉｃｕｌａｔｅ  Ｐｏｌｙｍｅｒ  Ｍａｔｅｒｉａｌ  ａｎｄ  Ｍｅｔｈｏｄ」と題する米国公開特許出願第２００８０３１２６１７号に記述されているように構築された着用可能吸収性物品は、その吸収性コアを取り除き、物品の残りの構成要素の１つ以上を変更及び／又は置換して物品をより頑強にすることによって変更することができ、故に、耐洗濯性にすることができる。
【００４３】
あるいは、又はそれに加えて、耐洗濯性外側カバーの様々な構成要素材料を、（例えば縫合する代わりに）接着結合又は機械的な結合又は熱結合のような、耐久性では劣るがより少ない労働力を要する手段を用いて組み合わせることができる。更に、材料の造りは、材料の強度及びそれが洗い周期にさらされたときにそれが劣化に耐える能力に影響する場合がある。例えば、材料の結合のタイプ、強度、及び程度は、材料の強度に影響する場合があり、それ故にその材料が洗濯可能又は耐洗濯性となるかどうかにも影響する場合がある。
【００４４】
耐洗濯性を有する外側カバーの場合、材料は、おむつ又はパンツ技術分野で既知の任意の天然又は合成の不織ウェブ及び／又はフィルム材料を含むことができる。外側カバーを構築することができる耐洗濯性材料としては、ポリプロピレン繊維及び／又はポリエチレン繊維、ポリエステル繊維、及び、使い捨ておむつの構成要素として使用される不織ウェブ材料を形成するために使用される任意の他の合成繊維、並びにそれらの配合物が含まれる。亜麻布、ウール、竹、麻、絹、レーヨンなどのような天然繊維を合成繊維と配合して、外側カバーの構成要素層として好適なそのような不織ウェブを形成してもよい。これらの材料に加えて、ポリオレフィンフィルム（微孔質又は非微孔質）のようなフィルムもまた、耐洗濯性外側カバーに使用することができる。
【００４５】
耐洗濯性外側カバー材料としての使用に考慮され得る繊維、不織布、及び不織布とフィルムとのラミネートの非限定的な例は、米国特許第７，２２３，８１８号、同第７，２１１，５３１号、同第７，０６０，１４９号、同第６，９６４，７２０号、同第６，９０５，９８７号、同第６，８９０，８７２号、同第６，８８４，４９４号、同第６，８７８，６４７号、同第５，５１８，８０１、並びに米国公開特許出願第２００８／０３１９４０７号、同第２００８／００４５９１７号、同第２００７／０２９３１１１号、同第２００７／０２８７９８３号、同第２００７／０２８７３４８号、同第２００７／０２４９２５４号、同第２００７／０２０３３０１号、同第２００５／０１６４５８７号に見出すことができる。
【００４６】
耐洗濯性外側カバー材料はまた、外側カバーに所望の快適さ、外観及び性能を付与するために選択してもよい。また場合によっては、激しく汚れた場合又は損傷した場合に費用又は意識の問題を最小限にしてそれらを廃棄することを可能にするほど十分に安価な耐洗濯性外側カバー材料を選択することが望ましい場合もある。
【００４７】
外側カバーは更に、又は追加的に、更に強化された耐液浸透性及び／又は弾性特性を提供するために、弾性であることが可能なラミネートされた若しくは実質的に分離したフィルム層を含んでもよい。弾性特性は、弾性ストランド、バンド、スクリム、発泡体などを含む層、バンド、又はストリップとして外側カバーに他の材料を追加することによってもまた追加又は強化することができる。フィルム層は、洗濯可能な材料又は耐洗濯性材料とラミネートすることができる。フィルム層は、ＫＲＡＴＯＮ（テキサス州Ｈｏｕｓｔｏｎ所在のＫｒａｔｏｎ  Ｐｏｌｙｍｅｒｓ  Ｕ．Ｓ．，ＬＬＣの製品）、ＶＩＳＴＡＭＡＸＸ（テキサス州Ｈｏｕｓｔｏｎ所在のＥｘｘｏｎＭｏｂｉｌ  Ｃｈｅｍｉｃａｌ  Ｃｏｍｐａｎｙより入手可能）、ＦＬＥＸＡＩＲＥ，ＥＸＴＲＡＦＬＥＸ又はＦＡＢＲＩＦＬＥＸ（バージニア州Ｒｉｃｈｍｏｎｄ所在のＴｒｅｄｅｇａｒ  Ｆｉｌｍ  Ｐｒｏｄｕｃｔｓ  Ｃｏｒｐｏｒａｔｉｏｎの製品）、及びテネシー州Ｇｒｅｅｎｖｉｌｌｅ所在のＦｕｌｆｌｅｘ  Ｅｌａｓｔｏｍｅｒｉｃｓ  Ｗｏｒｌｄｗｉｄｅより入手可能な多様なラテックス非含有弾性シートに基づくエラストマーを含むことができる。
【００４８】
エラストマー材料を布若しくは不織布層の繊維状構成要素として又はフィルム層として含有することは、着用者の臀部及び／又は腰部エリア周囲などにかけての着用者の生体構造及び動きに順応するために有用となり得る伸縮性及び弾性の改良、並びにフィット及び快適さの改善をもたらす。加えて、フィルム層を含むことが可能な場合は、追加的な液体収容能力を外側カバーに付与することができる。フィルム層は、実質的に液体不透過性だが、蒸気透過性のフィルムを含むことができるので、外側カバー着用中の通気性をもたらし、外側カバー内の湿度を下げ、液体収容能力が望まれる場合の皮膚の水分過剰の可能性を削減することができる。
【００４９】
外側カバーの層又は要素を、例えば接着剤、機械的結合、超音波結合、縫合、縫製、かがり縫い、縁取りなどを含む、おむつ技術分野又は衣類技術分野で既知の任意の手段によって、互いに接合することができる。
【００５０】
本明細書に開示される任意の耐洗濯性外側カバーは、本明細書に開示される着用可能吸収性物品の任意の実施形態とともに使用できるものと企図される。この代表的な耐洗濯性外側カバーは、パンツ型着用可能吸収性物品に使用するために追加することもできる。
【００５１】
再利用可能な外側カバーは、尿、糞便、若しくは汗のような排泄物又は環境汚染物によって汚れた場合、再利用の前に洗う必要がある場合がある。また、介護者は、外側カバーを洗ってきれいにすること、悪臭を取り除くこと、心地よい芳香を加えること、又は概してその形、きちんとした感じ、及び／又は外観を回復することを望む場合がある。概して、介護者は、外側カバーが高価であるほど、その外側カバーの物理的特性又は外観の有意な劣化なしにより多くの洗い周期にかけて外側カバーが洗濯可能であることを期待し得る。耐洗濯性外側カバーは、概して、洗濯可能外側カバーより安価な材料で構築されることが可能であり、したがって、洗濯可能な外側カバーと比べて、洗い周期数が増すにつれてより急速に劣化すること、例えば、より少ない洗い周期の後にもはや使用できなくなるほど劣化するものと期待されてもよい。
【００５２】
複数回の洗い周期の後の外側カバーの美的外観は、一部の介護者に知覚される外側カバーの価値にとって重要であるが、許容可能な外観は個人的な好みに大きく依存する。また、特定の場所（例えば自宅）又は使用状況（例えば夜間又は小児が下痢のような疾患を有しているとき）では、より「着古された」外観の外側カバーでも着用することが許容可能である場合もある。したがって、より重要なのは、耐洗濯性外側カバーの場合は少なくとも１回の洗い周期の後に、及び洗濯可能な外側カバーの場合は１０回の洗い周期の後に、それらがそれらのそれぞれに意図される用途への対応能力を有することである。
【００５３】
着用者の排泄物又は動きによる負荷は、着用されている着用可能吸収性物品を下方に移動する傾向があるので、本開示の実施形態は、着用されている着用可能吸収性物品の下垂及び／又はずれ落ちを防ぐのを助けることができる。着用可能吸収性物品は、固定システムを含むことができる。様々な実施形態で、固定システムは、物品に作用する負荷の少なくとも一部を収集するように、及び／又は着用者の身体の、負荷を支持することができる場所にそれらを分配するよう構成することができる。固定システムは、それ自体を着用者の体に固定するよう構成してもよい。このようにして、固定システムは、固定システムにより得られる保持力によって、収集された負荷の少なくとも一部の均衡を保つことができる。収集された負荷を、得られた保持力によって均衡させることにより、固定システムは、着用可能吸収性物品を着用者の所定の位置に保持するのを少なくとも支援することができる。
【００５４】
固定システムは、着用可能吸収性物品に作用する負荷を収集するよう構成でき、それ自体を着用者の体に固定し、固定することから得られる保持力により、収集した負荷を均衡させることができる。本開示全体を通して、用語「固定された」は、着用可能吸収性物品の固定システムの一部若しくはいくつかの部分又は全体と、着用者の体の一部若しくはいくつかの部分又は全体との構成関係を指す。固定システムが着用者の体の一部分に固定されている場合、物品が着用者によって着用されている間、固定要素の少なくとも一部は体の部分と直接的に及び／又は間接的に接触し、固定システムは固定要素と当該部分との間の相対的な動きを少なくとも減ずる及び／又は防止するよう構成される。
【００５５】
固定システムは、着用者の体の様々な部分の１つ以上に接触するよう構成される固定システムの１つ以上の固定要素により着用者の体に固定することができる。例えば、固定システムは、着用者の体の前側、後側、及び／又は側部の周りの少なくとも途中まで１つ以上の固定要素を巻き付けることにより少なくとも部分的に固定されることができ、それにより摩擦及び／又は反作用の力をもたらす。
【００５６】
一部の実施形態では、比較的小さい曲率半径を有する体の一部は、より大きい摩擦推力をもたらすことができ、それは固定要素が、そのような部分の周りによりしっかりと巻き付く傾向があり得るためである。これは、湾曲した表面の周囲に巻かれ、張力下に置かれる可撓性材料の物理特性による。こうした場合、引張力が可撓性材料を張力下に置くため、可撓性材料は、曲面と垂直であり、曲面上で内側に向う垂直力を生じる。基本的なキャプスタン（Capstan）の公式により、垂直力は曲面の半径で除した引張力に比例する。したがって、所定の引張力では、半径が小さくなるにしたがって、垂直力が大きくなる。
【００５７】
また、例として、固定システムは、１つ以上の固定要素を着用者の体の１つ以上の突出した部分の周り、及び／又はその上に固定することにより少なくとも部分的に固定されることができ、それにより摩擦及び／又は反作用の力をもたらす。いくつかの実施形態では、固定要素は比較的大きい水平方向の突出した部分を有する体の部分に、よりしっかりと架かる及び／又は乗る傾向を有することができる（すなわち、負荷を支持することが可能な体からの反作用力には上向きの構成要素がある）ので、比較的大きい水平方向の突出した部分は、より大きい反作用力をもたらすことができる。
【００５８】
負荷を収集し、それ自体を着用者の体に固定し、様々な力の均衡を保つため、固定システムは１つ以上の固定要素を含むよう構成され得る。いくつかの実施形態では、固定要素は、張力を保持するよう構成される細長い固定要素であってもよい。固定要素は、着用可能吸収性物品内の表面上及び／又は固定システムが含まれる着用可能吸収性物品の着用者の体の外表面上の、様々な経路に従うことができる。これらの表面の形状は、経路の形状に影響を及ぼし得る。経路の形状は、今度は固定要素の構成に影響を及ぼし得る。
【００５９】
着用可能吸収性物品の固定システムでは、１つ以上の固定要素は、固定システムを体に固定することを少なくとも支援するよう構成され得る。いくつかの固定要素は、着用可能吸収性物品のシャーシ、締結具、脚カフ、又は別の固定要素のような１つ以上の要素から収集された負荷を受容することができる。いくつかの固定要素は、固定システムにおいて負荷及び／又は力を伝達することができる。いくつかの固定要素は、着用者の体との接触を介して保持力をもたらすことができる。結果として、負荷及び力の均衡をとることによって、固定システムは、着用者に定置されている着用可能吸収性物品を保持することを少なくとも支援することができる。
【００６０】
固定要素は、様々な形態で構成することができる。固定要素を、固定システムの張力を運ぶのに好適な任意の材料から作製することができる。固定要素の一部若しくはいくつかの部分又は実質的に全て若しくは全ては、様々な弾性的の、非弾性的の、伸張可能な、伸張不可能な、伸縮可能な、及び／又は伸縮不可能な材料（１つ又は複数）、及び／又は他の任意の好適な材料（１つ又は複数）の１つ以上、並びに／又は、これらの材料のいずれかの組み合わせを含むことができる。固定要素の経路は一体型の連続経路であってもよく、又は経路に沿って配置された多くの分離性の要素及び／又は別個の領域から形成されてもよい。固定要素の一部若しくはいくつかの部分又は実質的に全て若しくは全ては、直線形、曲線形、角形、分割形、又は他の形、又はこれらの形の任意の組み合わせであることができる。いくつかの実施形態では、固定要素は締結具のような要素を数多く含むことができる。固定要素の一一部若しくはいくつかの部分又は実質的に全て若しくは全ては、着用可能吸収性物品の１つ以上の他の要素（外側カバー及び／又は腰部カバー及び／又は吸収性コア）に構造上関連付けること、及び／又は接合すること、及び／又は取り付けること、及び／又は耐久的に取り付けること、及び／又は再締結可能に取り付けること、及び／又は埋め込むこと、及び／又は一体化することができる。固定部材が１つ以上の他の要素に埋め込まれているとき又は一体であるとき、固定部材は明確に異なる認識可能な経路をその構造物の内部に形成する。例えば、固定部材が外側カバーと一体であるとき、固定部材が形成する経路は、その経路の周りの外側カバーの区域より高い弾性率を有することができる。本明細書で使用するとき、用語「接合される」は、要素が別の要素に直接に固定される構成、及び要素が１つ以上の中間部材に接続され、その中間部材が別の要素に接続されることによって要素が別の要素に間接的に固定される構成を指す。
【００６１】
固定要素は、任意の好適な幅又は厚さであることができる。例えば、固定要素は、５ｍｍ〜約１００ｍｍの幅、又はこの範囲内の任意の幅であり得る。固定要素の幅及び／又は厚さは、固定要素の１つ以上の部分にかけて又は固定要素の全長にかけて実質的に均一又は完全に均一であってもよく、固定要素の長さにかけて変化してもよい。いくつかの実施形態では、固定要素は、約１０ｍｍ、約２０ｍｍ、約３０ｍｍ、約４０ｍｍ、又は約５０ｍｍの実質的に均一の幅を有することができる。本開示全体を通して、特に指定のない限り、固定要素の幅は、固定要素の中心線に垂直な方向の経路の一方の側端から経路の他方の側端までの、経路を横切る最も大きな全体寸法として、固定要素の経路上の特定の点で測定される。
【００６２】
固定要素の１つの種類は、固定バンドである。固定バンドは、着用可能吸収性物品の画定された固定バンド経路に沿って配置された１つ以上の物理的要素、張力保持要素、及び／又は区域を含む。固定バンドは、張力の抵抗力を一方の末端部から他方に伝達し、そのような張力を固定システムに保持する十分な力を有することができる。いくつかの実施形態では、着用可能吸収性物品の吸収性コアの一部は、その部分にわたって増加した張力を保持するよう構造的に構成されることにより黙示的な固定バンド（implied anchoring band）を形成することができる。様々な実施形態において、固定バンドは、着用者の体の胴体下部、例えば物品の後部を、少なくとも部分的に取り囲むことができる。
【００６３】
別の種類の固定要素は、負荷分配要素（ＬＤＥ）である。ＬＤＥは、着用可能吸収性物品の固定システムの負荷を誘導及び／又は分配する、一つのタイプの固定バンドである。ＬＤＥは、吸収性コアなどの着用可能吸収性物品の１つ以上の他の要素に接合されることにより少なくともいくらかの収集された負荷を受容することができる。ＬＤＥは、ＣＡＭ又は固定バンドなどの固定システムの１つ以上の固定要素に接合されることによりそのような負荷を誘導及び／又は分配することができる。様々な実施形態で、ＬＤＥを、負荷の一部若しくはいくつかの部分又は実質的に全て若しくは全てを着用可能吸収性物品の吸収性コアから誘導及び／又は分配するよう構成することができる。
【００６４】
更に別の種類の固定要素はスパインである。スパインは、着用可能吸収性物品の固定システムの吸収性コアの支持を助ける、一つのタイプの固定バンドである。スパインは、着用可能吸収性物品の画定されたスパイン経路に沿って配置された１つ以上の物理的要素、張力保持要素、及び／又は区域を含む。スパインは、実質的に横方向又は完全に横方向に配向されるか、実質的に縦方向又は完全に縦方向に配向される。スパイン経路の実質的な部分は、着用可能吸収性物品の吸収性コアの一区域を貫通する。いくつかの実施形態では、スパインの実質的に全て若しくは全ては、吸収性コアの一区域内に収容される。
【００６５】
更に別の種類の固定要素は、周辺固定部材（ＣＡＭ）である。周辺固定部材（ＣＡＭ）は、着用可能吸収性物品の画定されたＣＡＭ経路に沿って配置された１つ以上の物理的要素、張力保持要素、及び／又は区域を含む、固定要素である。ＣＡＭ経路は、概して、着用可能吸収性物品内又は着用者の体の上の湾曲した表面に従う。ＣＡＭ経路は、着用者の体の下部胴体を少なくとも部分的に取り囲む。いくつかの実施形態では、ＣＡＭ経路は、着用者の体の下部胴体を実質的に又は完全に取り囲むことができる。物品が着用者に着用されているとき、ＣＡＭは湾曲した経路に従うことができるが、ＣＡＭは、平らに寝かされている吸収性物品では、実質的に直線の又は完全に直線の外観であることができる。
【００６６】
図１Ａ〜５Ｂの実施形態は、再利用可能な着用可能吸収性物品及び使い捨ての着用可能吸収性物品を含む着用可能吸収性物品に使用される様々な固定システムの記述である。
これらの固定システムは、本明細書に記載したように、種々の方法で１つ以上のＣＡＭ、ＬＤＥ、スパイン、及び／又はその他の固定要素により構成することができる。これらの固定システムのそれぞれが、吸収性コアを着用者に固定するために着用可能吸収性物品に構成されてもよい。様々な実施形態で、これらの固定システムのそれぞれを、外側カバーを吸収性コアの負荷から実質的に分離するよう、着用可能吸収性物品に構成することができる。様々な実施形態で、これらの固定システムのそれぞれを、吸収性コアの負荷の一部若しくはいくつかの部分又は実質的に全て若しくは全てを保持するよう、着用可能吸収性物品に構成することができる。
【００６７】
図１Ａは、固定システム１３０を含む前締結式着用可能吸収性物品１０１の内面（着用者に面する側）の平面図を図示する。前締結式着用可能吸収性物品１０１は、再利用可能な着用可能吸収性物品としても、あるいは使い捨ての着用可能吸収性物品としても構成され得る。
【００６８】
本開示は前締結式着用可能吸収性物品を参照するが、本開示はまた、本明細書に記載されるように、着用可能吸収性物品の代替実施形態も開示し、それらの着用可能吸収性物品は後締結式又は横締結式である。したがって、当業者には理解されるように、前締結式として記述される本開示の着用可能吸収性物品のそれぞれの実施形態は、後締結式等としてもまた構成され得る。
【００６９】
図１Ａでは、横方向中心線１１３及び長手方向中心線１１７が、着用可能吸収性物品１１０の部分の相対位置を参照するための基準線を提供する。第１部分が第２部分よりも長手方向中心線１１３に近接するとき、第１部分は、第２部分に対して横方向に内側寄り１１２にあると考えることができる。同様に、第２部分は第１部分から横方向外側１１４と考えることができる。第３部分が第４部分よりも横方向中心線１１７に近接するとき、第３部分は、第４部分に対して長手方向内側寄り１１６にあると考えることができる。同様に、第４部分は、第３部分から長手方向外側１１８にあると考えることができる。図１Ａは、着用可能吸収性物品１０１に関し、横方向内側寄り１１２、横方向外側寄り１１４、長手方向内側寄り１１６、及び長手方向外側寄り１１８の相対方向を示す矢印を含んでいる。本開示全体を通して、特に指定のない限り、長手方向寸法、測定値、線、又は方向への言及は、長手方向中心線１１３に対して実質的に又は完全に平行である寸法、測定値、線、又は方向を指し、横方向寸法、測定値、線、又は方向への言及は、横方向中心線１１７に対して実質的に又は完全に平行である寸法、測定値、線、又は方向を指す。
【００７０】
着用可能吸収性物品１０１は、物品１０１の最も外側の縁を画定するシャーシ１２１を含む。シャーシ１２１は、前部１２３及び後部１２５を含む。前部１２３は、着用可能吸収性物品１０１が着用者によって着用されるとき、一般に着用者の腹部に近接して及び／又はその下に配置される着用可能吸収性物品１０１の部分である。「前部」への言及は、その言及の前後関係に応じて、前部それ自体、前部の要素の一部若しくはいくつかの部分又は実質的に全て若しくは全て、及び／又は前部の配置を意味し得る。後部１２５は、着用可能吸収性物品１０１が着用者によって着用されるときに、一般に着用者の背に近接して及び／又は背の下に配置される着用可能吸収性物品１０１の一部分である。「後部」への言及は、その言及の前後関係に応じて、後部それ自体、後部の要素の一部若しくはいくつかの部分又は実質的に全て若しくは全て、及び／又は後部の配置を意味し得る。着用可能吸収性物品１０１の横方向中心線１１７は、前部１２３と後部１２５との間の境界を形成する。上述の前部及び後部の技術用語は、特に指示がない限り本開示全体を通して着用可能吸収性物品に使用される。着用可能吸収性物品１０１は、前部１２３から後部１２５まで延在する吸収性コア１２７もまた含む。
【００７１】
着用可能吸収性物品１０１は、更に、側部１５２、側耳部１５３、及び締結具１５４を含む。側部１５２は後部１２５に、シャーシ１２１の最も狭い部分から横方向に外側に配置される。側部１５２は長手方向中心線１１３の右に図示されているが、着用可能吸収性物品１０１は、長手方向中心線１１３の左にも同じ構成の他の側部を含む。側部１５２は、参考のために提供されているファントム線によって図示されているように、着用可能吸収性物品１０１の横方向に、シャーシ１２１の長手方向側部から外側に向かって延出している部分である側耳部１５３を含む。様々な実施形態で、側耳部の部分若しくはいくつかの部分又は実質的に全て若しくは全ては、シャーシの一部によって形成されてもよく、シャーシに取り付けられた別個の要素によって形成されてもよい。着用可能吸収性物品１０１は、反対側の一部として第２の側耳部を有する。側耳部１５３のそれぞれは、後部１２５を前部１２３に締結するために締結具１５４を含む。様々な実施形態で、本明細書に記載及び図示されている要素に加えて、着用可能吸収性物品１０１は、１つ以上の前部腰バンド、後部腰バンド、及び脚バンドもまた含むことができる。
【００７２】
固定システム１３０は、後部１２５に配置された第１の後部ＣＡＭ  １３１と、後部１２５に配置されたＬＤＥ  １３３と、前部１２３に配置された第１の前部ＣＡＭ  １４１と、前部１２３に配置されたＬＤＥ  １４３と、スパイン１３５、１４５とを含む。スパイン１３５、１４５は、後部１２５に配置されたスパイン１３５の後部と、前部１２３に配置されたスパイン１４５の前部とを含む。
【００７３】
第１の後部ＣＡＭ  １３１は、シャーシ１２１の長手方向外側寄り後縁に対して長手方向内側寄りに、かつそれからオフセットに配置される。第１の後部ＣＡＭ  １３１はまた、吸収性コア１２７の長手方向外側寄り後縁に対して長手方向内側寄りに、かつそれからオフセットに配置される。第１の後部ＣＡＭ  １３１は、１つの締結具１５４に接合され、その１つの締結具１５４から横方向に延び、後部１２５の第１の部分を横方向に貫通し、吸収性コア１２７の後部の下を横方向にわたってそれと接合し、後部１２５の第２の部分を横方向に貫通し、他方の締結具１５４まで横方向に延在してそれと接合する。第１の後部ＣＡＭ  １３１は、本明細書に記載されている任意のやり方で着用可能吸収性物品１０１内に構成され得る。第１の後部ＣＡＭ  １３１は、着用可能吸収性物品１０１が着用者に着用されているとき少なくとも部分的に着用者を取り囲むので、ＣＡＭとみなされる。
【００７４】
第１の代替実施形態では、第１の後部ＣＡＭ  １３１の一部若しくはいくつかの部分又は実質的に全て若しくは全ては、吸収性コア１２７の長手方向外側寄り後端に近接して配置され得る。第２の代替実施形態では、第１の後部ＣＡＭ  １３１の一部若しくはいくつかの部分又は実質的に全て若しくは全ては、吸収性コア１２７の長手方向外側寄り後端から長手方向外側寄りに配置され得る。第３の代替実施形態では、第１の後部ＣＡＭ  １３１の一部若しくはいくつかの部分又は実質的に全て若しくは全ては、シャーシ１２１の長手方向外側寄り後縁に近接して配置され得る。第４の代替実施形態では、第１の後部ＣＡＭ  １３１の一部又はいくつかの部分は、側部１５２の片方若しくは両方の１つ以上の代替経路、又は側耳部１５３の片方若しくは両方の１つ以上の代替経路に従うことができる。第５の代替実施形態では、第１の後部ＣＡＭ  １３１の一部又はいくつかの部分は、本明細書に記載されているように、１つ以上の追加的な固定要素と接続することができる。第６の代替実施形態では、第１の後部ＣＡＭ  １３１は、締結具１５４の１つとも両方とも接合しないことができる。第７の代替実施形態では、第１の後部ＣＡＭ  １３１の一部若しくはいくつかの部分又は実質的に全て若しくは全ては、吸収性コア１２７を貫通して又は吸収性コア１２７の上に延在することができる。第８の代替実施形態では、第１の後部ＣＡＭ  １３１の一部若しくはいくつかの部分又は実質的に全て若しくは全ては、吸収性コア１２７と接合されなくてもよい。これらの代替実施形態のいずれにおいても、第１の後部ＣＡＭ  １３１の一部若しくはいくつかの部分又は実質的に全て若しくは全ては、削除されてもよい。また、これらの代替実施形態のいずれにおいても、１つ以上の固定バンドを第１の後部ＣＡＭ  １３１の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【００７５】
後部ＬＤＥ  １３３は２つあり、長手方向中心線１１３のそれぞれの側に１つずつある。長手方向中心線の右の後部ＬＤＥ  １３３に関しては、後部ＬＤＥ  １３３の一端はスパイン１３５の後部に、横方向中心線１１７から長手方向にオフセットした場所で接続する。後部ＬＤＥ  １３３の一部は、吸収性コア１２７の後部の下に配置され、その部分に接合される。後部ＬＤＥ  １３３はスパイン１３５の後部から横方向及び長手方向に外側に向かって延出し、第１の後部ＣＡＭ  １３１に、側部１５２に近接した場所で接続する。第１の後部ＬＤＥ  １３３は、着用可能吸収性物品１０１が着用者によって着用されているとき、第１の後部ＬＤＥ  １３３が吸収性コア１２７から第１の後部ＣＡＭ  １３１への負荷の少なくとも一部を誘導及び／又は分配するよう構成されるので、ＬＤＥとみなされる。左の後部ＬＤＥ  １３３は、長手方向中心線１１３をはさんだ対称であるが、（mirrored by the longitudinal centerline）同じやり方で構成される。それぞれの後部ＬＤＥ  １３３は、あらゆる代替実施形態を含む本明細書に記載されている任意のやり方で着用可能吸収性物品１０１内に構成され得る。
【００７６】
第１の代替実施形態では、後部ＬＤＥ  １３３を横方向中心線１１７で又は横方向中心線１１７に近接した場所でスパイン１３５の後部と接続することができる。第２の代替実施形態では、後部ＬＤＥ  １３３はスパイン１３５の後部と接続しなくてもよく、長手方向中心線１１３からオフセットした場所で、吸収性コア１２７の後部の区域内で終わることができる。第３の代替実施形態では、後部ＬＤＥ  １３３は、長手方向中心線１１３の場所又はそれと近接した場所で第１の後部ＣＡＭ  １３１と接続することができる。第４の代替実施形態では、後部ＬＤＥ  １３３は、第１の後部ＣＡＭ  １３１と側部１５２内の側耳部１５３内で接続すること及び／又は締結具１５４と近接して接続することができる。第５の代替実施形態では、後部ＬＤＥ  １３３の一部又はいくつかの部分は、側部１５２の片方若しくは両方の１つ以上の代替経路、又は側耳部１５３の片方若しくは両方の１つ以上の代替経路に従うことができる。第６の代替実施形態では、後部ＬＤＥ  １３３の一部又はいくつかの部分は、本明細書に記載されているように、１つ以上の追加的な固定要素と接続することができる。第７の代替実施形態では、後部ＬＤＥ  １３３の一部若しくはいくつかの部分又は実質的に全て若しくは全ては、吸収性コア１２７を貫通して又は吸収性コア１２７の上に延在することができる。第８の代替実施形態では、後部ＣＡＭ  １３３の一部若しくはいくつかの部分又は実質的に全て若しくは全ては、吸収性コア１２７と接合されなくてもよい。これらの代替実施形態のいずれにおいても、後部ＬＤＥ  １３３の一方又は両方の、一部若しくはいくつかの部分又は実質的に全て若しくは全ては、削除されてもよい。また、これらの代替実施形態のいずれにおいても、１つ以上の固定バンドを後部ＬＤＥ  １３３の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【００７７】
第１の前部ＣＡＭ  １４１は、シャーシ１２１の長手方向外側寄り前縁に対して長手方向内側寄りに、かつそれからオフセットに配置される。第１の前部ＣＡＭ  １４１はまた、吸収性コア１２７の長手方向外側寄り前縁に対して長手方向内側寄りに、かつそれからオフセットに配置される。第１の前部ＣＡＭ  １４１は１つの側部で始まり、シャーシ１２１の１つの長手方向側縁から横方向に延び、前部１２３の第１の部分を横方向に貫通し、吸収性コア１２７の前部の下を横切って渡り、それと接合され、前部１２３の第２の部分を横方向に貫通し、シャーシ１２１の他の長手方向側縁で、他の側部において終わる。第１の前部ＣＡＭ  １４１は、本明細書に記載されている任意のやり方で着用可能吸収性物品１０１内に構成され得る。第１の前部ＣＡＭ  １４１は、着用可能吸収性物品１０１が着用者に着用されているとき少なくとも部分的に着用者を取り囲むので、ＣＡＭとみなされる。着用可能吸収性物品１０１が着用者に着用されているとき、第１の前部ＣＡＭ  １４１と第１の後部ＣＡＭ  １３１とは、ともに着用者を完全に取り囲む単一のＣＡＭとみなすことができる。
【００７８】
第１の代替実施形態では、第１の前部ＣＡＭ  １４１の一部若しくはいくつかの部分又は実質的に全て若しくは全ては、吸収性コア１２７の長手方向外側寄り前端に近接して配置され得る。第２の代替実施形態では、第１の前部ＣＡＭ  １４１の一部若しくはいくつかの部分又は実質的に全て若しくは全ては、吸収性コア１２７の長手方向外側寄り前端から長手方向外側寄りに配置され得る。第３の代替実施形態では、第１の前部ＣＡＭ  １４１の一部若しくはいくつかの部分又は実質的に全て若しくは全ては、シャーシ１２１の長手方向外側寄り前縁に近接して配置され得る。第４の代替実施形態では、第１の前部ＣＡＭ  １４１の一部若しくはいくつかの部分は、図１４Ｂと関連して記述される実施形態と同様に、長手方向側部のいずれか又は両方に近接している１つ以上の代替経路に従うことができる。第５の代替実施形態では、第１の前部ＣＡＭ  １４１の一部又はいくつかの部分は、本明細書に記載されているように、１つ以上の追加的な固定要素と接続することができる。第６の代替実施形態では、第１の前部ＣＡＭ  １４１の一部若しくはいくつかの部分又は実質的に全て若しくは全ては、吸収性コア１２７を貫通して、又は吸収性コア１２７の上に、延在することができる。第７の代替実施形態では、第１の前部ＣＡＭ  １４１の一部若しくはいくつかの部分又は実質的に全て若しくは全ては、吸収性コア１２７と接合されなくてもよい。これらの代替実施形態のいずれにおいても、第１の前部ＣＡＭ  １４１の一部若しくはいくつかの部分又は実質的に全て若しくは全ては、削除されてもよい。また、これらの代替実施形態のいずれにおいても、１つ以上の固定バンドを第１の前部ＣＡＭ  １４１の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【００７９】
前部ＬＤＥ  １４３は２つあり、長手方向中心線１１３のそれぞれの側に１つずつある。前部ＬＤＥ  １４３は、横方向中心線１１７をはさんだ対称であるが、前締結式着用可能吸収性物品の後部と前部との間の相違を除き、後部ＬＤＥ  １３３と同じやり方で構成される。それぞれの前部ＬＤＥ  １４３は、あらゆる代替実施形態を含む本明細書に記載されている任意のやり方で着用可能吸収性物品１０１内に構成され得る。
【００８０】
スパイン１３５の後部は、第１の後部ＣＡＭ  １３１と、スパイン１４５の前部とに接続する。スパイン１３５の後部は、吸収性コア１２７の後部の下にあり、それに接合される。スパイン１４５の前部は、スパイン１３５の後部と、第１の前部ＣＡＭ  １４１とに接続する。スパイン１４５の前部は、吸収性コア１２７の前部の下にあり、それに接合される。スパイン１３５、１４５は、着用可能吸収性物品１０１上に横方向に中心合わせされる。スパイン１３５、１４５は、本明細書に記載されている任意のやり方で着用可能吸収性物品１０１内で構成され得る。
【００８１】
第１の代替実施形態では、スパイン１３５の後部の一部若しくはいくつかの部分又は実質的に全て若しくは全て、及び／又はスパイン１４５の前部の一部若しくはいくつかの部分又は実質的に全て若しくは全ては、長手方向中心線１１３からオフセットに、及び／又は吸収性コア１２７の横方向外側寄り側部に近接して配置することができる。第２の代替実施形態では、スパイン１３５の後部の一部若しくはいくつかの部分又は実質的に全て若しくは全て、及び／又はスパイン１４５の前部の一部若しくはいくつかの部分又は実質的に全て若しくは全ては、吸収性コア１２７の区域の外面に配置することができる。第３の代替実施形態では、スパイン１３５の後部の一部又はいくつかの部分は、１つ以上の追加的な場所及び／又は代替の場所で第１の後部ＣＡＭ  １３１に接続することができる、及び／又は、スパイン１４５の前部の一部又はいくつかの部分は、１つ以上の追加的な場所及び／又は代替の場所で第１の前部ＣＡＭ  １４１に接続することができる。第４の代替実施形態では、スパイン１３５の後部の一部若しくはいくつかの部分、及び／又はスパイン１４５の前部の一部又はいくつかの部分は、本明細書に記載したように、１つ以上の追加的な固定要素と接続することができる。第５の代替実施形態では、着用可能吸収性物品１０１は２つ以上のスパインを含むことができる。第６の代替実施形態では、スパイン１３５の後部の一部若しくはいくつかの部分又は実質的に全て若しくは全て、及び／又はスパイン１４５の前部の一部若しくはいくつかの部分又は実質的に全て若しくは全ては、吸収性コア１２７に接合されなくてもよい。これらの代替実施形態のいずれにおいても、スパイン１３５の後部の一部若しくはいくつかの部分又は実質的に全て若しくは全て、及び／又はスパイン１４５の前部の一部若しくはいくつかの部分又は実質的に全て若しくは全てを削除することができる。これらの代替実施形態のいずれにおいても、１つ以上の固定バンドを、スパイン１３５の後部及び／又はスパイン１４５の前部の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【００８２】
加えて、着用可能吸収性物品１０１の前部１２３の任意の実施形態を、本明細書に開示されているように、任意の前締結式着用可能吸収性物品の後部の任意の実施形態と組み合わせることができる。更に、着用可能吸収性物品１０１の後部１２５の任意の実施形態を、任意の前締結式着用可能吸収性物品の前部の任意の実施形態と組み合わせて、更なる代替実施形態を創出することができる。
【００８３】
図１Ｂは、固定システム１６０を含むパンツ型着用可能吸収性物品１０２の内面（着用者に面する側）の平面図を図示する。パンツ型着用可能吸収性物品１０２は、再利用可能な着用可能吸収性物品としても、あるいは使い捨ての着用可能吸収性物品としても構成され得る。
【００８４】
本開示全体を通して、パンツ型着用可能吸収性物品の参照は、締結式の実施形態又は締結具を有さない実施形態を指すことができる。パンツ型着用可能吸収性物品の参照はまた、予め形成された（すなわち、物品の製造中に形成された）１つ以上の腰部開口部及び／又は脚開口部を有する物品の実施形態、又は予め形成されたのではない腰部開口部及び脚開口部を有する物品の実施形態を参照する場合もある。したがって、当業者には理解されるように、パンツ型として記載される本開示の吸収性物品のそれぞれの実施形態は、これらのいずれのやり方でも構成することができる。
【００８５】
図１Ｂで、長手方向中心線１１３及び横方向中心線１１７は、着用可能吸収性物品１０２の部分の相対的位置としての、横方向内側寄り１１２、横方向外側寄り１１４、長手方向内側寄り１１６、及び長手方向外側寄り１１８を参照するための基準線を提供する。着用可能吸収性物品１０２は、物品１０２の最も外側の縁を画定するシャーシ１２２を含む。シャーシ１２２は、前部１２４及び後部１２６を含む。着用可能吸収性物品１０２は、前部１２４から後部１２６まで延在する吸収性コア１２８もまた含む。
【００８６】
着用可能吸収性物品１０２は、更に、側部１８２、サイドパネル１８３の一部、及びサイドパネル接続部１８４、１８５を含む。側部１８２は、後部１２６のシャーシ１２２の最も狭い部分から横方向外側寄りに配置される。側部１８２は長手方向中心線１１３の右に図示されているが、着用可能吸収性物品１０２は、長手方向中心線１１３の左にも同じ構成の他の側部を含む。側部１８２は、参考のために提供されているファントム線によって図示されているように、着用可能吸収性物品の横方向に、シャーシ１２２の長手方向側部から外側に向かって延出している部分であるサイドパネルの一部１８３を含む。様々な実施形態で、サイドパネルの部分の一部若しくはいくつかの部分又は実質的に全て若しくは全ては、シャーシの一部によって形成されてもよく、シャーシに取り付けられた別個の要素によって形成されてもよい。着用可能吸収性物品１０２は、反対側の一部としてサイドパネルの第２の部分を含む。着用可能吸収性物品１０２は、前部にもまたサイドパネルの部分を含む。着用可能吸収性物品１０２が着用のために形成されるとき、サイドパネルのそれぞれの前部は、サイドパネル接続部において、対応するサイドパネルの後部と接続する。右側では、着用可能吸収性物品１０２が着用のために形成されるとき、後部１２６のサイドパネル接続部１８４は前部１２４のサイドパネル接続部１８５と接合される。左側も同じやり方で接合される。様々な実施形態で、本明細書に記載及び図示されている要素に加えて、着用可能吸収性物品１０２は、１つ以上の前部腰バンド、後部腰バンド、及び脚バンドもまた含むことができる。
【００８７】
固定システム１６０は、後部１２６に配置された第１の後部ＣＡＭ  １６１と、後部１２６に配置されたＬＤＥ  １６３と、前部１２４に配置された第１の前部ＣＡＭ  １７１と、前部１２４に配置されたＬＤＥ  １７３と、スパイン１６５、１７５とを含む。スパイン１６５、１７５は、後部１２６に配置されたスパイン１６５の後部と、前部１２４に配置されたスパイン１７５の前部とを含む。
【００８８】
第１の後部ＣＡＭ  １６１は、シャーシ１２２の長手方向外側寄り後縁に対して長手方向内側寄りに、かつそれからオフセットに配置される。第１の後部ＣＡＭ  １６１はまた、吸収性コア１２８の長手方向外側寄り後縁に対して長手方向内側寄りに、かつそれからオフセットに配置される。第１の後部ＣＡＭ  １６１はサイドパネル１８３の一部で始まり、シャーシ１２２の１つの長手方向側縁から横方向に延び、後部１２６の第１の部分を横方向に貫通し、吸収性コア１２８の後部の下を横切って渡り、それと接合され、後部１２６の第２の部分を横方向に貫通し、シャーシ１２２の他の長手方向側縁で、他のサイドパネルの一部において終わる。第１の後部ＣＡＭ  １６１は、本明細書に記載されている任意のやり方で着用可能吸収性物品１０２内に構成され得る。第１の後部ＣＡＭ  １６１は、着用可能吸収性物品１０２が着用者に着用されているとき少なくとも部分的に着用者を取り囲むので、ＣＡＭとみなされる。
【００８９】
第１の代替実施形態では、第１の後部ＣＡＭ  １６１の一部若しくはいくつかの部分又は実質的に全て若しくは全ては、吸収性コア１２８の長手方向外側寄り後端に近接して配置され得る。第２の代替実施形態では、第１の後部ＣＡＭ  １６１の一部若しくはいくつかの部分又は実質的に全て若しくは全ては、吸収性コア１２８の長手方向外側寄り後端から長手方向外側寄りに配置され得る。第３の代替実施形態では、第１の後部ＣＡＭ  １６１の一部若しくはいくつかの部分又は実質的に全て若しくは全ては、シャーシ１２２の長手方向外側寄り後縁に近接して配置され得る。第４の代替実施形態では、第１の後部ＣＡＭ  １６１の一部若しくはいくつかの部分は、図１４Ｂと関連して記述されるように、側部１８２のいずれか若しくは両方、又はサイドパネル１８３のいずれか若しくは両方で、１つ以上の代替経路に従うことができる。第５の代替実施形態では、第１の後部ＣＡＭ  １６１の一部又はいくつかの部分は、本明細書に記載されているように、１つ以上の追加的な固定要素と接続することができる。第６の代替実施形態では、第１の後部ＣＡＭ  １６１の一部若しくはいくつかの部分又は実質的に全て若しくは全ては、吸収性コア１２８を貫通して又は吸収性コア１２８の上に延在することができる。第７の代替実施形態では、第１の後部ＣＡＭ  １６１の一部若しくはいくつかの部分又は実質的に全て若しくは全ては、吸収性コア１２８と接合されなくてもよい。これらの代替実施形態のいずれにおいても、第１の後部ＣＡＭ  １６１の一部若しくはいくつかの部分又は実質的に全て若しくは全ては、削除されてもよい。また、これらの代替実施形態のいずれにおいても、１つ以上の固定バンドを第１の後部ＣＡＭ  １６１の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【００９０】
後部ＬＤＥ  １６３は２つあり、長手方向中心線１１３のそれぞれの側に１つずつある。後部ＬＤＥ  １６３は、パンツ型着用可能吸収性物品と前締結式着用可能吸収性物品との相違を除き、図１Ａの後部ＬＤＥ  １３３と同じやり方で構成される。それぞれの後部ＬＤＥ  １６３は、あらゆる代替実施形態を含む本明細書に記載されている任意のやり方で着用可能吸収性物品１０２内に構成され得る。
【００９１】
第１の前部ＣＡＭ  １７１は、シャーシ１２２の長手方向外側寄り前縁に対して長手方向内側寄りに、かつそれからオフセットに配置される。第１の前部ＣＡＭ  １７１はまた、吸収性コア１２８の長手方向外側寄り前縁に対して長手方向内側寄りに、かつそれからオフセットに配置される。第１の前部ＣＡＭ  １７１はサイドパネルの一部で始まり、シャーシ１２２の１つの長手方向側縁から横手方向に延び、前部１２４の第１の部分を横方向に貫通し、吸収性コア１２８の前部の下を横方向に渡ってそれと接合し、前部１２４の第２の部分を横方向に貫通し、シャーシ１２２の他の長手方向側縁で、サイドパネルの他の部分で終わる。第１の前部カム１７１は、本明細書に記載されている任意のやり方で着用可能吸収性物品１０２内に構成され得る。第１の前部ＣＡＭ  １７１は、着用可能吸収性物品１０２が着用者に着用されているとき少なくとも部分的に着用者を取り囲むので、ＣＡＭとみなされる。着用可能吸収性物品１０２が着用者に着用されているとき、第１の前部ＣＡＭ  １７１と第１の後部ＣＡＭ  １６１とは、ともに着用者を完全に取り囲む単一のＣＡＭとみなすことができる。
【００９２】
第１の代替実施形態では、第１の前部ＣＡＭ  １７１の一部若しくはいくつかの部分又は実質的に全て若しくは全ては、吸収性コア１２８の長手方向外側寄り前端に近接して配置され得る。第２の代替実施形態では、第１の前部ＣＡＭ  １７１の一部若しくはいくつかの部分又は実質的に全て若しくは全ては、吸収性コア１２８の長手方向外側寄り前端から長手方向外側寄りに配置され得る。第３の代替実施形態では、第１の前部ＣＡＭ  １７１の一部若しくはいくつかの部分又は実質的に全て若しくは全ては、シャーシ１２２の長手方向外側寄り前縁に近接して配置され得る。第４の代替実施形態では、第１の前部ＣＡＭ  １７１の一部若しくはいくつかの部分又は実質的に全て若しくは全ては、図１４Ｂと関連して記述される実施形態と同様に、長手方向側部のいずれか又は両方に近接している１つ以上の代替経路に従うことができる。第５の代替実施形態では、第１の前部ＣＡＭ  １７１の一部若しくはいくつかの部分は、本明細書に記載されているように、１つ以上の追加的な固定要素と接続することができる。第６の代替実施形態では、第１の前部ＣＡＭ  １７１の一部若しくはいくつかの部分又は実質的に全て若しくは全ては、吸収性コア１２８を貫通して、又は吸収性コア１２８の上に、延在することができる。第７の代替実施形態では、第１の前部ＣＡＭ  １７１の一部若しくはいくつかの部分又は実質的に全て若しくは全ては、吸収性コア１２８と接合されなくてもよい。これらの代替実施形態のいずれにおいても、第１の前部ＣＡＭ  １７１の一部若しくはいくつかの部分又は実質的に全て若しくは全ては、削除されてもよい。また、これらの代替実施形態のいずれにおいても、１つ以上の固定バンドを第１の前部ＣＡＭ  １７１の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【００９３】
前部ＬＤＥ  １７３は２つあり、長手方向中心線１１３のそれぞれの側に１つずつある。前部ＬＤＥ  １７３は、パンツ型着用可能吸収性物品と前締結式着用可能吸収性物品との相違を除き、図１Ａの前部ＬＤＥ  １４３と同じやり方で構成される。それぞれの前部ＬＤＥ  １７３は、あらゆる代替実施形態を含む本明細書に記載されている任意のやり方で着用可能吸収性物品１０２内に構成され得る。
【００９４】
スパイン１６５の後部は、第１の後部ＣＡＭ  １６１と、スパイン１７５の前部とに接続する。スパイン１６５の後部は、吸収性コア１２８の後部の下にあり、それに接合される。スパイン１６５の前部は、スパイン１６５の後部と、第１の前部ＣＡＭ  １７１とに接続する。スパイン１７５の前部は、吸収性コア１２８の前部の下にあり、それに接合される。スパイン１６５、１７５は、着用可能吸収性物品１０２上に横方向に中心合わせされる。スパイン１６５、１７５は、図１Ａの実施形態（任意の代替実施形態を含む）で着用可能吸収性物品１０１内にスパイン１３５、１４５が構成されるのと同じやり方で、着用可能吸収性物品１０２内に構成され得る。
【００９５】
加えて、着用可能吸収性物品１０２の前部１２４の任意の実施形態を、本明細書に開示されているように、任意のパンツ型着用可能吸収性物品の後部の任意の実施形態と組み合わせることができる。更に、着用可能吸収性物品１０２の後部１２６の任意の実施形態を、本明細書に開示されているように、任意のパンツ型着用可能吸収性物品の前部の任意の実施形態と組み合わせて、更なる代替実施形態を創出することができる。
【００９６】
図１Ｃは、前締結式着用可能吸収性物品１０３の内面の平面図を図示する。前締結式着用可能吸収性物品１０３は、その固定システム１３０が第１の後部ＣＡＭ  １３１から構成されることを除き、図１Ａの前締結式着用可能吸収性物品１０１と同じやり方で構成される。
【００９７】
図１Ｄは、パンツ型着用可能吸収性物品１０４の内面の平面図を図示する。パンツ型着用可能吸収性物品１０４は、その固定システム１６０が第１の後部ＣＡＭ  １６１から構成されることを除き、図１Ｂのパンツ型着用可能吸収性物品１０２と同じやり方で構成される。
【００９８】
図２Ａは、固定システム２３０を含む前締結式着用可能吸収性物品２０１の内面の平面図を図示する。前締結式着用可能吸収性物品２０１は、再利用可能な着用可能吸収性物品としても、あるいは使い捨ての着用可能吸収性物品としても構成され得る。図２Ａの実施形態の要素のそれぞれは、下記のことを除き、図１Ａの実施形態の同様の番号の要素と同じやり方で構成される。本開示全体を通じて、「同様の番号」は、要素のラベルの番号の下２桁が同じである、要素のラベル間の対応する要素を示すことが意図されている。要素ラベルは、図番号に対応する接頭番号が異なっていても、また、特定の実施形態に対応する末尾番号が異なっていても、同様の番号のものであるとみなされる。
【００９９】
第１の後部ＣＡＭ  ２３１は、１つの締結具２５４に接合され、該１つの締結具２５４から横方向に延び、後部２２５の第１の部分を横方向及び長手方向に内側に向かって貫通し、吸収性コア２２７の後部の下を横方向にわたってそれと接合し、後部２２５の第２の部分を横方向及び長手方向に外側に向かって延び、他方の締結具２５４まで横方向に延びて該他方の締結具２５４と接合する。第１の後部ＣＡＭ  ２３１は、あらゆる代替実施形態を含む本明細書に記載されている任意のやり方で着用可能吸収性物品２０１内に構成され得る。第１の前部ＣＡＭ  ２４１は１つの側部で始まり、シャーシ２０１の１つの長手方向側縁から横方向に延び、前部２２３の第１の部分を横方向及び長手方向に内側に向かって貫通し、吸収性コア２２７の前部の下を横切って渡り、それと接合され、前部２２３の第２の部分を横方向及び長手方向に外側に向かって貫通し、シャーシ２０１の他の長手方向側縁で、他の側部において終わる。第１の前部ＣＡＭ  ２４１は、あらゆる代替実施形態を含む本明細書に記載されている任意のやり方で着用可能吸収性物品２０１内に構成され得る。様々な実施形態で、固定システム２３０は、前部２２３又は後部２２５に１つ以上のＬＤＥを含むことができる。
【０１００】
加えて、着用可能吸収性物品２０１の前部２２３の任意の実施形態を、本明細書に開示されているように、任意の前締結式着用可能吸収性物品の後部の任意の実施形態と組み合わせることができる。更に、着用可能吸収性物品２０１の後部２２５の任意の実施形態を、任意の前締結式着用可能吸収性物品の前部の任意の実施形態と組み合わせて、更なる代替実施形態を創出することができる。
【０１０１】
図２Ｂは、固定システム２６０を含むパンツ型着用可能吸収性物品２０２の内面の平面図を図示する。パンツ型着用可能吸収性物品２０２は、再利用可能な着用可能吸収性物品としても、あるいは使い捨ての着用可能吸収性物品としても構成され得る。着用可能吸収性物品２０２は、下記のことを除き、図１Ｂの実施形態の着用可能吸収性物品１０２と同じやり方で構成される。
【０１０２】
固定システム２６０は、下記のように、パンツ型着用可能吸収性物品と前締結式着用可能吸収性物品との相違があることを除き、図２Ａの実施形態の固定システム２３０と同じやり方で構成される。第１の後部ＣＡＭ  ２６１は、第１の後部ＣＡＭ  ２６１がサイドパネルの一部で１つの長手方向側縁において始まり、サイドパネルの他の一部で他の長手方向側縁において終わることを除き、図２Ａの実施形態の第１の後部ＣＡＭ  ２３１と同じやり方で構成される。第１の前部ＣＡＭ  ２７１は、第１の前部ＣＡＭ  ２７１がサイドパネルの一部で１つの長手方向側縁において始まり、サイドパネルの他の一部で他の長手方向側縁において終わることを除き、図２Ａの実施形態の第１の前部ＣＡＭ  ２４１と同じやり方で構成される。
【０１０３】
加えて、着用可能吸収性物品２０２の前部２２４の任意の実施形態を、本明細書に開示されているように、任意のパンツ型着用可能吸収性物品の後部の任意の実施形態と組み合わせることができる。更に、着用可能吸収性物品２０２の後部２２６の任意の実施形態を、任意のパンツ型着用可能吸収性物品の前部の任意の実施形態と組み合わせて、更なる代替実施形態を創出することができる。
【０１０４】
図３Ａは、固定システム３３０を含む前締結式着用可能吸収性物品３０１の内面の平面図を図示する。前締結式着用可能吸収性物品３０１は、再利用可能な着用可能吸収性物品としても、あるいは使い捨ての着用可能吸収性物品としても構成され得る。図３Ａの実施形態の要素のそれぞれは、下記のことを除き、図１Ａの実施形態の同様の番号の要素と同じやり方で構成される。
【０１０５】
固定システム３３０は、後部３２５に配置された第１の後部固定バンド３３１と、後部に配置された第２の後部固定バンド３３２と、前側３２３に配置された第１の前部固定バンド３４１と、前部３２３に配置された第２の前部固定バンド３４２と、スパイン３３５、３４５とを含む。
【０１０６】
第１の後部固定バンド３３１は、シャーシ３２１の長手方向外側寄り後縁に対して長手方向内側寄りに、かつそれからオフセットに配置される。第１の後部固定バンド３３１は、１つの締結具３５４に接合され、該１つの締結具３５４から横方向に延び、後部３２５の第１の部分を横方向及び長手方向に内側に向かって貫通し、吸収性コア３２７の後部の下を横方向及び長手方向に内側に向かって延びてそれと接合され、長手方向中心線３１３に近接した端で、吸収性コア３２７の後部の区域内で終わる。その端で、第１の後部固定バンド３３１は第２の後部固定バンド３３２と接続し、スパイン３３５の後部と接続する。第１の後部固定バンド３３１は、本明細書に記載されている任意のやり方で着用可能吸収性物品３０１内に構成され得る。
【０１０７】
第１の代替実施形態では、第１の後部固定バンド３３１の一部若しくはいくつかの部分又は実質的に全て若しくは全ては、吸収性コア３２７の長手方向外側寄り後端に近接して配置され得る。第２の代替実施形態では、第１の後部固定バンド３３１の一部若しくはいくつかの部分又は実質的に全て若しくは全ては、吸収性コア３２７の長手方向外側寄り後端から長手方向外側寄りに配置され得る。第３の代替実施形態では、第１の後部固定バンド３３１の一部若しくはいくつかの部分又は実質的に全て若しくは全ては、シャーシ３２１の長手方向外側寄り後縁に近接して配置され得る。第４の代替実施形態では、第１の後部固定バンド３３１の一部若しくはいくつかの部分は、側部３５２又は側耳部３５３の１つ以上の代替経路に従うことができる。第５の代替実施形態では、第１の後部固定バンド３３１の一部若しくはいくつかの部分は、本明細書に記載されているように、１つ以上の追加的な固定要素と接続することができる。第６の代替実施形態では、第１の後部固定バンド３３１は、締結具３５４と接合しなくてもよい。第７の代替実施形態では、第１の後部固定バンド３３１の一部若しくはいくつかの部分又は実質的に全て若しくは全ては、吸収性コア３２７を貫通して又は吸収性コア３２７の上に延在することができる。第８の代替実施形態では、第１の後部固定バンド３３１の一部若しくはいくつかの部分又は実質的に全て若しくは全ては、吸収性コア３２７と接合されなくてもよい。第９の代替実施形態では、第１の後部固定バンド３３１は、長手方向中心線３１３からオフセットした端で及び／又は吸収性コア３２７の後部の区域の外面で終わることができる。これらの代替実施形態のいずれにおいても、第１の後部固定バンド３３１の一部若しくはいくつかの部分又は実質的に全て若しくは全ては、削除されてもよい。また、これらの代替実施形態のいずれにおいても、１つ以上の固定バンドを第１の後部固定バンド３３１の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【０１０８】
第２の後部固定バンド３３２は、第１の後部固定バンド３３１と同じやり方で構成され得るが、長手方向中心線３１３をはさんだ対称である。第２の後部固定バンド３３２は、あらゆる代替実施形態を含む本明細書に記載されている任意のやり方で着用可能吸収性物品３０１内に構成され得る。
【０１０９】
第１の前部固定バンド３４１は、シャーシ３２１の長手方向外側寄り後縁に対して長手方向内側寄りに、かつそれからオフセットに配置される。第１の前部固定バンド３４１は１つの側部で始まり、シャーシ３２１の１つの長手方向側縁から横方向に延び、前部３２５の第１の部分を横方向及び長手方向に内側に向かって貫通し、吸収性コア３２７の前部の下を横方向及び長手方向に内側に向かって延びてそれと接合され、長手方向中心線３１３に近接した端で、吸収性コア３２７の前部の区域内で終わる。その端で、第１の前部固定バンド３４１は第２の前部固定バンド３４２と接続し、スパイン３３５の前部と接続する。第１の前部固定バンド３４１は、本明細書に記載されている任意のやり方で着用可能吸収性物品３０１内に構成され得る。
【０１１０】
第１の代替実施形態では、第１の前部固定バンド３４１の一部若しくはいくつかの部分又は実質的に全て若しくは全ては、吸収性コア３２７の長手方向外側寄り前端に近接して配置され得る。第２の代替実施形態では、第１の前部固定バンド３４１の一部若しくはいくつかの部分又は実質的に全て若しくは全ては、吸収性コア３２７の長手方向外側寄り前端から長手方向外側寄りに配置され得る。第３の代替実施形態では、第１の前部固定バンド３４１の一部若しくはいくつかの部分又は実質的に全て若しくは全ては、シャーシ３２１の長手方向外側寄り前縁に近接して配置され得る。第４の実施形態では、第１の前部固定バンド３４１の一部又はいくつかの部分は、図１４Ｂと関連して記述されるように、側部３５２又は側耳部３５３の１つ以上の代替経路に従うことができる。第５の代替実施形態では、第１の前部固定バンド３４１の一部又はいくつかの部分は、本明細書に記載されているように、１つ以上の追加的な固定要素と接続することができる。第６の代替実施形態では、第１の前部固定バンド３４１の一部若しくはいくつかの部分又は実質的に全て若しくは全ては、吸収性コア３２７を貫通して又は吸収性コア３２７の上に延在することができる。第７の代替実施形態では、第１の前部固定バンド３４１の一部若しくはいくつかの部分又は実質的に全て若しくは全ては、吸収性コア３２７と接合されなくてもよい。第８の代替実施形態では、第１の前部固定バンド３４１は、長手方向中心線３１３からオフセットした端で及び／又は吸収性コア３２７の前部の区域の外面で終わることができる。これらの代替実施形態のいずれにおいても、第１の前部固定バンド３４１の一部若しくはいくつかの部分又は実質的に全て若しくは全ては、削除されてもよい。また、これらの代替実施形態のいずれにおいても、１つ以上の固定バンドを第１の前部固定バンド３３１の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【０１１１】
第２の前部固定バンド３４２は、第１の前部固定バンド３４１と同じやり方で構成され得るが、長手方向中心線３１３をはさんだ対称である。第２の前部固定バンド３４２は、あらゆる代替実施形態を含む本明細書に記載されている任意のやり方で着用可能吸収性物品３０１内に構成され得る。
【０１１２】
着用可能吸収性物品３０１が着用者によって着用されるとき、第１の前部固定バンド３３１と第１の後部固定バンド３４１とは、ともに着用者を少なくとも部分的に取り囲むＣＡＭとみなされ得る。同様に、着用可能吸収性物品３０１が着用者によって着用されるとき、第２の前部固定バンド３３２と第２の後部固定バンド３４２とは、ともに着用者を少なくとも部分的に取り囲むＣＡＭとみなされ得る。更に、着用可能吸収性物品３０１が着用者によって着用されるとき、第１の前部固定バンド３３１と、第１の後部固定バンド３４１と、第２の前部固定バンド３３２と、第２の後部固定バンド３４２とは、全てがともになって着用者を完全に取り囲む単一のＣＡＭとみなされ得る。様々な実施形態で、固定システム３３０は、前部３２３又は後部３２５に１つ以上のＬＤＥを含むことができる。
【０１１３】
スパイン３３５の後部は、第１の後部固定バンド３３１の端及び第２の後部固定バンド３３２の端と接続する。スパイン３３５の後部は、吸収性コア３２７の後部の下にあり、それに接合される。スパイン３３５の後部はまた、スパイン３４５の前部とも接続する。スパイン３４５の前部は、スパイン３３５の後部と接続する。スパイン３４５の前部はまた、第１の前部固定バンド３４１の端及び第２の前部固定バンド３４２の端とも接続する。スパイン３４５の前部は、吸収性コア３２７の前部の下にあり、それに接合される。スパイン３３５、３４５は、着用可能吸収性物品３０１上に横方向に中心合わせされる。スパイン３３５、３４５は、あらゆる代替実施形態を含む本明細書に記載されている任意のやり方で着用可能吸収性物品３０１内に構成され得る。
【０１１４】
加えて、着用可能吸収性物品３０１の前部３２３の任意の実施形態を、本明細書に開示されているように、任意の前締結式着用可能吸収性物品の後部の任意の実施形態と組み合わせることができる。更に、着用可能吸収性物品３０１の後部３２５の任意の実施形態を、任意の前締結式着用可能吸収性物品の前部の任意の実施形態と組み合わせて、更なる代替実施形態を創出することができる。
【０１１５】
図３Ｂは、固定システム３６０を含むパンツ型着用可能吸収性物品３０２の内面の平面図を図示する。パンツ型着用可能吸収性物品３０２は、再利用可能な着用可能吸収性物品としても、あるいは使い捨ての着用可能吸収性物品としても構成され得る。着用可能吸収性物品３０２は、下記のことを除き、図１Ｂの実施形態の着用可能吸収性物品１０２と同じやり方で構成される。
【０１１６】
固定システム３６０は、下記のように、パンツ型着用可能吸収性物品と前締結式着用可能吸収性物品との相違があることを除き、図３Ａの実施形態の固定システム３３０と同じやり方で構成される。第１の後部ＣＡＭ  ３６１は、第１の後部ＣＡＭ  ３６１がサイドパネルの一部で１つの長手方向側縁において始まり、サイドパネルの他の部分で他の長手方向側縁において終わることを除き、図３Ａの実施形態の第１の後部ＣＡＭ  ３３１と同じやり方で構成される。第１の前部ＣＡＭ  ３７１は、第１の前部ＣＡＭ  ３７１がサイドパネルの一部で１つの長手方向側縁において始まり、サイドパネルの他の部分で他の長手方向側縁において終わることを除き、図３Ａの実施形態の第１の前部ＣＡＭ  ３４１と同じやり方で構成される。
【０１１７】
加えて、着用可能吸収性物品３０２の前部３２４の任意の実施形態を、本明細書に開示されているように、任意のパンツ型着用可能吸収性物品の後部の任意の実施形態と組み合わせることができる。更に、着用可能吸収性物品３０２の後部３２６の任意の実施形態を、本明細書に開示されているように、任意のパンツ型着用可能吸収性物品の前部の任意の実施形態と組み合わせて、更なる代替実施形態を創出することができる。
【０１１８】
図４Ａは、固定システム４３０を含む前締結式着用可能吸収性物品４０１の内面の平面図を図示する。前締結式着用可能吸収性物品４０１は、再利用可能な着用可能吸収性物品としても、あるいは使い捨ての着用可能吸収性物品としても構成され得る。図４Ａの実施形態の要素のそれぞれは、下記のことを除き、図１Ａの実施形態の同様の番号の要素と同じやり方で構成される。
【０１１９】
固定システム４３０は、後部４２５に配置された第１の後部固定バンド４３１と、後部に配置された第２の後部固定バンド４３２と、前部４２３に配置された第１の前部固定バンド４４１と、前部４２３に配置された第２の前部固定バンド４４２と、スパイン４４０とを含む。
【０１２０】
第１の後部固定バンド４３１は、シャーシ４２１の長手方向外側寄り後縁に対して長手方向内側寄りに、かつそれからオフセットに配置される。第１の後部固定バンド４３１は、１つの締結具４５４に接合され、該１つの締結具４５４から横方向に延び、後部４２５の第１の部分を横方向及び長手方向に内側に向かって延び、後部４２５の第２の部分を長手方向に内側に向かって貫通し、横方向中心線４１７に近接した端で、吸収性コア４２７の後部の区域の外面で終わる。その端で、第１の後部固定バンド４３１は第１の前部固定バンド４４１と接続し、スパイン４４０と接続する。第１の後部固定バンド４３１は、吸収性コア４２７と直接接続されない。第１の後部固定バンド４３１は、本明細書に記載されている任意のやり方で着用可能吸収性物品４０１内に構成され得る。
【０１２１】
第１の代替実施形態では、第１の後部固定バンド４３１の一部若しくはいくつかの部分又は実質的に全て若しくは全ては、シャーシ４２１の長手方向外側寄り後縁に近接して配置され得る。第２の代替実施形態では、第１の後部固定バンド４３１の一部又はいくつかの部分は、側部４５２又は側耳部４５３の１つ以上の代替経路に従うことができる。第３の代替実施形態では、第１の後部固定バンド４３１の一部又はいくつかの部分は、本明細書に記載されているように、１つ以上の追加的な固定要素と接続することができる。第４の代替実施形態では、第１の後部固定バンド４３１は、締結具４５４と接合しなくてもよい。第５の代替実施形態では、第１の後部固定バンド４３１の一部若しくはいくつかの部分又は実質的に全て若しくは全ては、吸収性コア４２７と接合され得る。第６の代替実施形態では、第１の後部固定バンド４３１は、横方向中心線４１７からオフセットした端で及び／又は吸収性コア４２７の後部の区域内で、終わることができる。これらの代替実施形態のいずれにおいても、第１の後部固定バンド４３１の一部若しくはいくつかの部分又は実質的に全て若しくは全ては、削除されてもよい。また、これらの代替実施形態のいずれにおいても、１つ以上の固定バンドを第１の後部固定バンド４３１の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【０１２２】
第２の後部固定バンド４３２は、第１の後部固定バンド４３１と同じやり方で構成され得るが、長手方向中心線４１３をはさんだ対称である。第２の後部固定バンド４３２は、あらゆる代替実施形態を含む本明細書に記載されている任意のやり方で着用可能吸収性物品４０１内に構成され得る。
【０１２３】
第１の前部固定バンド４４１は、シャーシ４２１の長手方向外側寄り後縁に対して長手方向内側寄りに、かつそれからオフセットに配置される。第１の前部固定バンド４４１は１つの側部で始まり、シャーシ４２１の１つの長手方向側縁から横方向に延び、前部４２５の第１の部分を横方向及び長手方向に内側に向かって延び、前部４２５の第２の部分を長手方向に内側に向かって延び、横方向中心線４１７に近接した端で、及び吸収性コア４２７の前部の区域の外面で、終わる。その端で、第１の前部固定バンド４４１は第１の後部固定バンド４３１と接続し、スパイン４４０と接続する。第１の前部固定バンド４４１は、吸収性コア４２７と直接接続されない。第１の前部固定バンド４４１は、本明細書に記載されている任意のやり方で着用可能吸収性物品４０１内に構成され得る。
【０１２４】
第１の代替実施形態では、第１の前部固定バンド４４１の一部若しくはいくつかの部分又は実質的に全て若しくは全ては、シャーシ４２１の長手方向外側寄り前縁に近接して配置され得る。第２の代替実施形態では、第１の前部固定バンド４４１の一部又はいくつかの部分は、図４Ｂと関連して記述される実施形態と同様に、長手方向側部のいずれか又は両方に近接している１つ以上の代替経路に従うことができる。第３の代替実施形態では、第１の前部固定バンド４４１の一部又はいくつかの部分は、本明細書に記載されているように、１つ以上の追加的な固定要素と接続することができる。第４の代替実施形態では、第１の前部固定バンド４４１の一部若しくはいくつかの部分又は実質的に全て若しくは全ては、吸収性コア４２７と接合され得る。第５の代替実施形態では、第１の前部固定バンド４４１は、横方向中心線４１７からオフセットした端で、及び／又は吸収性コア４２７の前部の区域内で、終わることができる。これらの代替実施形態のいずれにおいても、第１の前部固定バンド４４１の一部若しくはいくつかの部分又は実質的に全て若しくは全ては、削除されてもよい。また、これらの代替実施形態のいずれにおいても、１つ以上の固定バンドを第１の前部固定バンド４４１の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【０１２５】
第２の前部固定バンド４４２は、第１の前部固定バンド４４１と同じやり方で構成され得るが、長手方向中心線４１３をはさんだ対称である。第２の前部固定バンド４４２は、あらゆる代替実施形態を含む本明細書に記載されている任意のやり方で着用可能吸収性物品４０１内に構成され得る。
【０１２６】
着用可能吸収性物品４０１が着用者によって着用されるとき、第１の前部固定バンド４３１と第１の後部固定バンド４４１とは、ともに着用者を少なくとも部分的に取り囲むＣＡＭとみなされ得る。同様に、着用可能吸収性物品４０１が着用者によって着用されるとき、第２の前部固定バンド４３２と第２の後部固定バンド４４２とは、ともに着用者を少なくとも部分的に取り囲むＣＡＭとみなされ得る。様々な実施形態で、固定システム４３０は、前部４２３又は後部４２５に１つ以上のＬＤＥを含むことができる。
【０１２７】
長手方向中心線４１３の１つの側で、スパイン４４０の一端は吸収性コア４２７の１つの長手方向側から横方向に外側に向かって延びて、第１の後部固定バンド４３１の端及び第１の前部固定バンド４４１の端と接続する。スパイン４４０は、吸収性コア４２７の後部の下にあり、それに接合される。長手方向中心線４１３の他側で、スパイン４４０の他端は吸収性コア４２７の他の長手方向側から横方向に外側に向かって延びて、第２の後部固定バンド４３２の端及び第２の前部固定バンド４４２の端と接続する。スパイン４４０は、着用可能吸収性物品４０１上に長手方向に中心合わせされる。スパイン４４０は、本明細書に記載されている任意のやり方で着用可能吸収性物品４０１内に構成され得る。
【０１２８】
第１の代替実施形態では、スパイン４４０の一部若しくはいくつかの部分又は実質的に全て若しくは全ては、前部４２３に向かって又は後部４２５に向かって、横方向中心線４１７からオフセットに配置され得る。第２の代替実施形態では、スパイン４４０の一端又は両端は、吸収性物品４２７の区域内に配置され得る。第３の代替実施形態では、スパイン４４０は、第１の後部固定バンド４３１、第２の後部固定バンド４３２、第１の前部固定バンド４４１、及び／又は第２の後部固定バンド４４２と、１つ以上の追加の及び／又は代替の場所で接続することができる。第４の代替実施形態では、スパイン４４０の一部又はいくつかの部分は、本明細書に記載されているように、１つ以上の追加的な固定要素と接続することができる。第５の代替実施形態では、着用可能吸収性物品１０１は２つ以上のスパインを含むことができる。第６の代替実施形態では、スパイン４４０の一部若しくはいくつかの部分又は実質的に全て若しくは全ては、吸収性コア４２７と接合されなくてもよい。これらの代替実施形態のいずれにおいても、スパイン４４０の一部若しくはいくつかの部分又は実質的に全て若しくは全ては、削除されてもよい。また、これらの代替実施形態のいずれにおいても、１つ以上の固定バンドをスパイン４４０の経路の一部若しくはいくつかの部分又は実質的に全て若しくは全てに沿って使用することができる。更に、これらの代替実施形態のいずれをも、全体として又は部分的に組み合わせて、追加的な代替実施形態を創出することができる。
【０１２９】
加えて、着用可能吸収性物品４０１の前部４２３の任意の実施形態を、本明細書に開示されているように、任意の前締結式着用可能吸収性物品の後部の任意の実施形態と組み合わせることができる。更に、着用可能吸収性物品４０１の後部４２５の任意の実施形態を、任意の前締結式着用可能吸収性物品の前部の任意の実施形態と組み合わせて、更なる代替実施形態を創出することができる。
【０１３０】
図４Ｂは、固定システム４６０を含むパンツ型着用可能吸収性物品４０２の内面の平面図を図示する。パンツ型着用可能吸収性物品４０２は、再利用可能な着用可能吸収性物品としても、あるいは使い捨ての着用可能吸収性物品としても構成され得る。着用可能吸収性物品４０２は、下記のことを除き、図１Ｂの実施形態の着用可能吸収性物品１０２と同じやり方で構成される。
【０１３１】
固定システム４６０は、下記のように、パンツ型着用可能吸収性物品と前締結式着用可能吸収性物品との相違があることを除き、図４Ａの実施形態の固定システム４３０と同じやり方で構成される。第１の後部固定バンド４６１は、第１の後部固定バンド４６１がサイドパネルの一部で１つの長手方向側縁において始まり、サイドパネルの他の一部で他の長手方向側縁において終わることを除き、図４Ａの実施形態の第１の後部固定バンド４３１と同じやり方で構成される。第２の後部固定バンド４６２は、第１の後部固定バンド４６１と同じやり方で構成され得るが、長手方向中心線４１３をはさんだ対称である。第１の前部固定バンド４７１は、第１の前部固定バンド４７１がサイドパネルの一部で１つの長手方向側縁において始まり、サイドパネルの他の一部で他の長手方向側縁において終わることを除き、図４Ａの実施形態の第１の前部固定バンド４４１と同じやり方で構成される。第２の前部固定バンド４７２は、第１の前部固定バンド４７１と同じやり方で構成され得るが、長手方向中心線４１３をはさんだ対称である。
【０１３２】
加えて、着用可能吸収性物品４０２の前部４２４の任意の実施形態を、本明細書に開示されているように、任意のパンツ型着用可能吸収性物品の後部の任意の実施形態と組み合わせることができる。更に、着用可能吸収性物品４０２の後部４２６の任意の実施形態を、本明細書に開示されているように、任意のパンツ型着用可能吸収性物品の前部の任意の実施形態と組み合わせて、更なる代替実施形態を創出することができる。
【０１３３】
図５Ａは、固定システム５３０を含む前締結式着用可能吸収性物品５０１の内面の平面図を図示する。前締結式着用可能吸収性物品５０１は、再利用可能な着用可能吸収性物品としても、あるいは使い捨ての着用可能吸収性物品としても構成され得る。図５Ａの実施形態の要素のそれぞれは、下記のことを除き、図１Ａの実施形態の同様の番号の要素と同じやり方で構成される。
【０１３４】
第１の後部ＣＡＭ  ５３１は、１つの締結具５５４に接合され、該１つの締結具５５４から横方向に延び、後部５２５の第１の部分を横方向に内側に及び長手方向に外側に向かって通り、吸収性コア５２７の長手方向外側寄り後縁から長手方向外側寄りに横方向にわたり、後部５２５の第２の部分を横方向に外側に及び長手方向に内側に向かって通り、他方の締結具５５４まで横方向に延びて、該他方の締結具５５４と接合する。第１の後部ＣＡＭ  ５３１は、吸収性コア５２７と直接接続されない。第１の後部ＣＡＭ  ５３１は、あらゆる代替実施形態を含む本明細書に記載されている任意のやり方で着用可能吸収性物品５０１内に構成され得る。後部ＬＤＥ  ５３３は、後部ＬＤＥ  ５３３が更に長手方向に外側寄りに第１の後部ＣＡＭ  ５３１と接続することを除き、図１Ａの実施形態の後部ＬＤＥ  １３３と同じやり方で構成される。
【０１３５】
第１の前部ＣＡＭ  ５４１は１つの側部で始まり、シャーシ５０１の１つの長手方向側縁から横方向に延び、前部５２３の第１の部分を横方向に内側及び長手方向に外側に向かって延び、吸収性コア５２７の長手方向外側寄り前縁から長手方向外側寄りに横方向にわたり、前部５２３の第２の部分を横方向に外側及び長手方向に内側に向かって延び、シャーシ５０１の他の長手方向側縁で、他の側部において終わる。第１の前部ＣＡＭ  ５４１は、吸収性コア５２７と直接接続されない。第１の前部ＣＡＭ  ５４１は、あらゆる代替実施形態を含む本明細書に記載されている任意のやり方で着用可能吸収性物品５０１内に構成され得る。前部ＬＤＥ  ５４３は、前部ＬＤＥ  ５４３が更に長手方向に外側寄りの場所で第１の後部ＣＡＭ  ５３１と接続することを除き、図１Ａの実施形態の前部ＬＤＥ  １４３と同じやり方で構成される。
【０１３６】
スパイン５３５、５４５は、下記のことを除き、図１Ａの実施形態のスパイン１３５、１４５と同じやり方で構成される。スパイン５３５の後部は、吸収性コア５２７の長手方向外側寄り後縁から長手方向外側に向かって延び、第１の後部ＣＡＭ  ５３１と接続する。スパイン５４５の前部は、吸収性コア５２７の長手方向外側寄り前縁から長手方向外側に向かって延び、第１の後部ＣＡＭ  ５４１と接続する。スパイン５３５、５４５は、あらゆる代替実施形態を含む本明細書に記載されている任意のやり方で着用可能吸収性物品５０１内に構成され得る。
【０１３７】
加えて、着用可能吸収性物品５０１の前部５２３の任意の実施形態を、本明細書に開示されているように、任意の前締結式着用可能吸収性物品の後部の任意の実施形態と組み合わせることができる。更に、着用可能吸収性物品５０１の後部５２５の任意の実施形態を、任意の前締結式着用可能吸収性物品の前部の任意の実施形態と組み合わせて、更なる代替実施形態を創出することができる。
【０１３８】
図５Ｂは、固定システム５６０を含むパンツ型着用可能吸収性物品５０２の内面の平面図を図示する。パンツ型着用可能吸収性物品５０２は、再利用可能な着用可能吸収性物品としても、あるいは使い捨ての着用可能吸収性物品としても構成され得る。着用可能吸収性物品５０２は、下記のことを除き、図１Ｂの実施形態の着用可能吸収性物品１０２と同じやり方で構成される。
【０１３９】
固定システム５６０は、下記のように、パンツ型着用可能吸収性物品と前締結式着用可能吸収性物品との相違があることを除き、図５Ａの実施形態の固定システム５３０と同じやり方で構成される。第１の後部ＣＡＭ  ５６１は、第１の後部ＣＡＭ  ５６１がサイドパネルの一部で１つの長手方向側縁において始まり、サイドパネルの他の一部で他の長手方向側縁において終わることを除き、図５Ａの実施形態の第１の後部ＣＡＭ  ５３１と同じやり方で構成される。第１の前部ＣＡＭ  ５７１は、第１の前部ＣＡＭ  ５７１がサイドパネルの一部で１つの長手方向側縁において始まり、サイドパネルの他の一部で他の長手方向側縁において終わることを除き、図５Ａの実施形態の第１の前部ＣＡＭ  ５４１と同じやり方で構成される。
【０１４０】
加えて、着用可能吸収性物品５０２の前部５２４の任意の実施形態を、本明細書に開示されているように、任意のパンツ型着用可能吸収性物品の後部の任意の実施形態と組み合わせることができる。更に、着用可能吸収性物品５０２の後部５２６の任意の実施形態を、本明細書に開示されているように、任意のパンツ型着用可能吸収性物品の前部の任意の実施形態と組み合わせて、更なる代替実施形態を創出することができる。
【０１４１】
様々な代替実施形態で、前締結式着用可能吸収性物品は、前締結式着用可能吸収性物品に関して本明細書に開示されている任意の１つ以上の固定システムの一部若しくはいくつかの部分又は実質的に全て若しくは全ての組み合わせを含むことができる。いくつかの例としては、前締結式着用可能吸収性物品は、前部、又は後部、又は前部及び後部のいずれかにおいて、（１）図２Ａの固定システム２３０、（２）図３Ａの固定システム３３０、（３）図４Ａの固定システム４３０、又は（４）図５Ａの固定システム５３０、と組み合わされた図１Ａの固定システム１３０を含むことができる。その他いくつかの例としては、前締結式着用可能吸収性物品は、前部、又は後部、又は前部及び後部のいずれかにおいて、（１）図２Ａの固定システム２３０、（２）図３Ａの固定システム３３０、又は（３）図４Ａの固定システム４３０、と組み合わされた図５Ａの固定システム５３０を含むことができる。そのような組み合わせは、本明細書に開示されているいかなる代替実施形態と行うことができる。
【０１４２】
前締結式着用可能吸収性物品が１つ以上の固定システムの組み合わせを含むそのような代替実施形態では、固定要素は、物品の前部及び／又は後部で、片側又は両側の１つ以上の代替経路に従うことができる。前締結式着用可能吸収性物品の代表的な代替実施形態では、固定要素の経路は、ともに接続して単一の経路になることができる。前締結式着用可能吸収性物品の別の代表的な代替実施形態では、固定要素の経路は、ともに接続して単一の経路になってから複数の経路に分かれることができる。前締結式着用可能吸収性物品の更に別の代替実施形態では、固定要素の経路はともに接続せずに別々の経路を続けることができる。
【０１４３】
また、様々な代替実施形態で、パンツ型着用可能吸収性物品は、パンツ型着用可能吸収性物品に関して本明細書に開示されている１つ以上の任意の固定システムの一部若しくはいくつかの部分又は実質的に全て若しくは全ての組み合わせを含むことができる。いくつかの例としては、パンツ型着用可能吸収性物品は、前部、又は後部、又は前部及び後部のいずれかにおいて、（１）図２Ｂの固定システム２６０、（２）図３Ｂの固定システム３６０、（３）図４Ｂの固定システム４６０、又は（４）図５Ｂの固定システム５６０、と組み合わされた図１Ｂの固定システム１６０を含むことができる。他のいくつかの例としては、パンツ型着用可能吸収性物品は、前部、又は後部、又は前部及び後部のいずれかにおいて、（１）図２Ｂの固定システム２６０、（２）図３Ｂの固定システム３６０、又は（３）図４Ｂの固定システム４６０、と組み合わされた図５Ｂの固定システム５６０を含むことができる。そのような組み合わせは、本明細書に開示されているいかなる代替実施形態と行うことができる。
【０１４４】
また、パンツ型着用可能吸収性物品が１つ以上の固定システムの組み合わせを含むそのような代替実施形態では、固定要素は、物品の前部及び／又は後部で、片側又は両側の１つ以上の代替経路に従うことができる。パンツ型着用可能吸収性物品の代表的な代替実施形態では、固定要素の経路は、ともに接続して単一の経路になることができる。パンツ型着用可能吸収性物品の別の代表的な代替実施形態では、固定要素の経路は、ともに接続して単一の経路になってから複数の経路に分かれることができる。パンツ型着用可能吸収性物品の更に別の代替実施形態では、固定要素の経路はともに接続せずに別々の経路を続けることができる。
【０１４５】
本開示の実施形態は、着用者に適切にフィットする固定システムを有する着用可能吸収性物品を含む。これらの物品の設計は、着用者が着用したとき物品がたるむ又は滑り落ちるのを防止するのを助ける。その結果、本開示の着用可能吸収性物品は、着用者の適所に留まり、漏れない傾向にあるため、快適な感じがし、魅力的に見え、かつ良好に機能することができる。
【０１４６】
外側カバーのような吸収性物品の構成要素が洗濯可能であるかどうか又は耐洗濯性であるかどうかを決定するために、ＡＡＴＣＣ（Ａｍｅｒｉｃａｎ  Ａｓｓｏｃｉａｔｉｏｎ  ｏｆ  Ｔｅｘｔｉｌｅ  Ｃｈｅｍｉｓｔｓ  ａｎｄ  Ｃｏｌｏｒｉｓｔｓ）試験方法１２４−２００１のプロトコルにしたがって、下記の選択されたパラメータ及び代替を用いて、構成要素を機械洗濯および機械乾燥する。
【０１４７】
ＡＡＴＣＣ試験方法１２４−２００１
ａ）第６項「装置及び材料（Apparatus and materials）」にしたがって、自動洗濯機としてＫｅｎｍｏｒｅ  ６００（Ｈｅａｖｙ  Ｄｕｔｙ−Ｓｕｐｅｒ  Ｃａｐａｃｉｔｙ  Ｐｌｕｓ−Ｑｕｉｅｔ  Ｐａｋ）を使用し、自動回転乾燥機としてＭａｙｔａｇ  Ｃｏｍｍｅｒｃｉａｌ（モデル第ＭＤＥ２７ＭＮＡＣＷ号、第ＭＤＥ１５ＭＮＡＹＷ号、第ＭＤＥ１３ＭＮＡＣＷ号等）を使用する。
ｂ）第６項「装置及び材料（Apparatus and materials）」の指示に反し、バラストとしては、Ｔｅｓｔｆａｂｒｉｃｓ，Ｉｎｃ，（ペンシルベニア州Ｗｅｓｔ  Ｐｉｔｔｓｔｏｎ所在）の折り目数６０×６０、重量１５１ｇｓｍ、サイズ１６．８ｍ（５５’）×９９．１ｃｍ（３９”）の木綿シートであるＴｅｓｔ  Ｆａｂｒｉｃ  ４９３型を使用する。
ｃ）第６項「装置及び材料（Apparatus and materials）」の指示に反し、評価区域は第６項の７にしたがった構成とせず、第６項の８の装置は使用しない。代わりに、正常な視力の人が明瞭に見ることのできる典型的な人工照明条件（例えば蛍光灯）の下で全ての目視評価を行う。
ｄ）第７項「試験用標本（Test Specimen）」の指示に反し、試験される構成要素は（必要に応じて）吸収性物品の残りの部分から完全に取り外され、該構成要素は（その取り外しによって可能な範囲で）損傷されていない一体として試験される。同じタイプの構成要素を最高３つまで同時に洗濯する。
ｅ）第８項の２．２の機械洗濯に関しては、水位は機械の「大」設定を使用し、洗濯温度としては３２＋／−３℃（９０＋／−５°Ｆ）を、すすぎ温度としては１６＋／−３℃（６０＋／−５°Ｆ）を選択する。
ｆ）第８項の２．２の設定に関しては、選択時間１２分、１回目のスピン時間６分、再補充時間４分、すすぎ時間５分、最終スピン周期時間６分を有する「普通／丈夫な木綿（Normal/Cotton Sturdy）」を選択する。
ｇ）第８項の３の「乾燥（Drying）」に関しては、「丈夫な木綿及び白物及び色物（Cotton Sturdy and Whites & Colors）」を選択する。
ｈ）第８項の５の指示に反し、コンディショニング及びプリコンディショニングの工程は行わない。
ｉ）第９項「評価（Evaluation）」の指示に反し、これらの評価工程は行わない。代わりに、試験される構成要素の評価は、物品がその物品に意図される機能及び／又は用途のために不適となるほど物品の外観又は性能に有意な劣化をその試験が結果としてもたらしたかどうかを決定するために当業者によって行われる。
【０１４８】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【０１４９】
あらゆる相互参照又は関連特許若しくは特許出願を含む、本明細書に引用される文献は全て、明白に除外さもなくば限定されている場合を除いて、本明細書中にその全容を援用するものである。いかなる文献の引用も、それが本明細書において開示され請求されるいずれかの発明に関する先行技術であること、又はそれが単独で若しくは他の任意の参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【０１５０】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１Ａ】
0005400173.tif 000002
【図１Ｂ】
0005400173.tif 000003
【図１Ｃ】
0005400173.tif 000004
【図１Ｄ】
0005400173.tif 000005
【図２Ａ】
0005400173.tif 000006
【図２Ｂ】
0005400173.tif 000007
【図３Ａ】
0005400173.tif 000008
【図３Ｂ】
0005400173.tif 000009
【図４Ａ】
0005400173.tif 000010
【図４Ｂ】
0005400173.tif 000011
【図５Ａ】
0005400173.tif 000012
【図５Ｂ】
0005400173.tif 000013